(57)【要約】【課題】回収した各測定データに対応付ける測定時刻と、各測定データの実際の測定時刻との時間差のばらつきを十分に小さくする。【解決手段】記録処理中における時刻補正処理の実行回数が２回以上のＮ回であって、Ｍ回目の時刻補正処理と、（Ｍ＋１）回目の時刻補正処理との間において測定された測定値が２個以上のＬ個のときに（ステップ７１，７２）、Ｍ回目の時刻補正処理の完了後に最初に記録された測定値の測定時刻および測定時間間隔に基づいて、Ｌ個のうちのＭ回目の時刻補正処理の完了後に最初に記録された測定値に続いて記録されたＫａ個の測定値に対応付ける測定時刻を特定し、かつ、（Ｍ＋１）回目の時刻補正処理の完了後に最初に記録された測定値の測定時刻および測定時間間隔に基づいて、Ｌ個のうちの（Ｍ＋１）回目の時刻補正処理の実行前に記録された最新のＫｂ個の測定値に対応付ける測定時刻を特定する（ステップ７６，７７）。【選択図】図４
2012013477.tif 000002
【特許請求の範囲】
【請求項１】
設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを回収する測定データ回収装置であって、
前記測定データを記録する記録部と、前記測定データの測定時刻を特定すると共に特定した測定時刻に対応付けて当該測定データを前記記録部に記録させる制御部とを備え、
前記制御部は、前記第３の情報および前記第４の情報の少なくとも一方に基づいて、前記記録処理の実行中に実行された前記時刻補正処理の実行回数を特定し、特定した実行回数がＮ回（Ｎは、２以上の自然数）のときに、前記第１の情報、前記第２の情報、前記第３の情報および前記第４の情報に基づいて、Ｍ回目（Ｍは、（Ｎ−１）以下の各自然数）の前記時刻補正処理と、（Ｍ＋１）回目の前記時刻補正処理との間において測定された前記測定データを特定し、特定した当該測定データがＬ個（Ｌは、２以上の自然数）のときに、当該Ｍ回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの前記Ｍ回目の時刻補正処理の完了後に最初に記録された当該測定データに続いて記録されたＫａ個（Ｋａは、（Ｌ−１）以下の自然数）の当該測定データに対応付ける測定時刻を特定し、かつ、当該（Ｍ＋１）回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの当該（Ｍ＋１）回目の時刻補正処理の実行前に記録された最新のＫｂ個（Ｋｂは、（Ｌ−Ｋａ）以下の自然数）の当該測定データに対応付ける測定時刻を特定する測定データ回収装置。
【請求項２】
設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを回収する測定データ回収装置であって、
前記測定データを記録する記録部と、前記測定データの測定時刻を特定すると共に特定した測定時刻に対応付けて当該測定データを前記記録部に記録させる制御部とを備え、
前記制御部は、前記第１の情報、前記第２の情報および前記第３の情報に基づいて、前記開始時刻と前記時刻補正処理との間において測定された前記測定データを特定し、特定した当該測定データがＬ個（Ｌは、２以上の自然数）のときに、前記第１の情報および前記第２の情報に基づいて、当該Ｌ個の測定データのうちの最初に記録された当該測定データに続いて記録されたＫａ個（Ｋａは、（Ｌ−１）以下の自然数）の当該測定データに対応付ける測定時刻を特定し、かつ、当該時刻補正処理の完了後に最初に記録された前記測定データの測定時刻を前記第４の情報に基づいて特定すると共に、特定した測定時刻および前記第２の情報に基づいて、当該Ｌ個の測定データのうちの前記時刻補正処理の実行前に記録された最新のＫｂ個（Ｋｂは、（Ｌ−Ｋａ）以下の自然数）の当該測定データに対応付ける測定時刻を特定する測定データ回収装置。
【請求項３】
前記制御部は、前記Ｋａを（Ｌ／２）以下の自然数とし、かつ、前記Ｋｂを（Ｌ／２）以下の自然数として前記測定データに対応付ける測定時刻をそれぞれ特定する請求項１または２記載の測定データ回収装置。
【請求項４】
前記制御部は、前記Ｋａ個の測定データの測定と前記Ｋｂ個の測定データの測定との間において測定されたＫｃ個（Ｋｃは（Ｌ−Ｋａ−Ｋｂ）の自然数）の前記測定データが存在するときに、当該Ｋｃ個の測定データに対応付ける測定時刻として、前記Ｋａ個の測定データに対応付ける測定時刻と同様にして特定した測定時刻と、前記Ｋｂ個の測定データに対応付ける測定時刻と同様にして特定した測定時刻とのいずれかを選択させるメッセージを出力し、選択の結果に応じた測定時刻を当該Ｋｃ個の測定データに対応付けて前記記録部に記録させる請求項１から３のいずれかに記載の測定データ回収装置。
【請求項５】
前記制御部は、前記測定時刻を特定した前記Ｌ個の測定データのうちのいずれか２つの当該測定データの測定時刻が同一時刻のときに、当該同一時刻の両測定データのいずれを前記記録部に記録させるかを選択させるメッセージを出力し、選択された当該測定データを前記記録部に記録させる請求項１から４のいずれかに記載の測定データ回収装置。
【請求項６】
請求項１から５のいずれかに記載の測定データ回収装置と、前記測定データ記録装置とを備えている測定データ記録システム。
【請求項７】
測定対象信号の電気的パラメータを測定する測定部と、設定された時間間隔で前記測定部に前記電気的パラメータを測定させて測定データを記録部に記録させる記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録させた前記測定データを特定可能な第３の情報、および前記時刻補正処理の完了後に最初に記録させた前記測定データの測定時刻を特定可能な第４の情報を前記測定データと共に前記記録部に記録させ、かつ、前記測定データを回収する測定データ回収装置からの要求に応じて、当該測定データの測定時刻を特定すると共に特定した測定時刻に対応付けて当該測定データを出力する制御部を備えた測定データ記録装置であって、
前記制御部は、前記第３の情報および前記第４の情報の少なくとも一方に基づいて、前記記録処理の実行中に実行した前記時刻補正処理の実行回数を特定し、特定した実行回数がＮ回（Ｎは、２以上の自然数）のときに、前記第１の情報、前記第２の情報、前記第３の情報および前記第４の情報に基づいて、Ｍ回目（Ｍは、（Ｎ−１）以下の各自然数）の前記時刻補正処理と、（Ｍ＋１）回目の前記時刻補正処理との間において測定させた前記測定データを特定し、特定した当該測定データがＬ個（Ｌは、２以上の自然数）のときに、当該Ｍ回目の時刻補正処理の完了後に最初に記録させた前記測定データの測定時刻を前記第４の情報に基づいて特定すると共に、特定した測定時刻および前記第２の情報に基づいて、当該Ｌ個の測定データのうちの前記Ｍ回目の時刻補正処理の完了後に最初に記録させた当該測定データに続いて記録させたＫａ個（Ｋａは、（Ｌ−１）以下の自然数）の当該測定データに対応付ける測定時刻を特定し、かつ、当該（Ｍ＋１）回目の時刻補正処理の完了後に最初に記録させた前記測定データの測定時刻を前記第４の情報に基づいて特定すると共に、特定した測定時刻および前記第２の情報に基づいて、当該Ｌ個の測定データのうちの当該（Ｍ＋１）回目の時刻補正処理の実行前に記録させた最新のＫｂ個（Ｋｂは、（Ｌ−Ｋａ）以下の自然数）の当該測定データに対応付ける測定時刻を特定する測定データ記録装置。
【請求項８】
測定対象信号の電気的パラメータを測定する測定部と、設定された時間間隔で前記測定部に前記電気的パラメータを測定させて測定データを記録部に記録させる記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録させた前記測定データを特定可能な第３の情報、および前記時刻補正処理の完了後に最初に記録させた前記測定データの測定時刻を特定可能な第４の情報を前記測定データと共に前記記録部に記録させ、かつ、前記測定データを回収する測定データ回収装置からの要求に応じて、当該測定データの測定時刻を特定すると共に特定した測定時刻に対応付けて当該測定データを出力する制御部を備えた測定データ記録装置であって、
前記制御部は、前記第１の情報、前記第２の情報および前記第３の情報に基づいて、前記開始時刻と前記時刻補正処理との間において測定させた前記測定データを特定し、特定した当該測定データがＬ個（Ｌは、２以上の自然数）のときに、前記第１の情報および前記第２の情報に基づいて、当該Ｌ個の測定データのうちの最初に記録させた当該測定データに続いて記録させたＫａ個（Ｋａは、（Ｌ−１）以下の自然数）の当該測定データに対応付ける測定時刻を特定し、かつ、当該時刻補正処理の完了後に最初に記録させた前記測定データの測定時刻を前記第４の情報に基づいて特定すると共に、特定した測定時刻および前記第２の情報に基づいて、当該Ｌ個の測定データのうちの前記時刻補正処理の実行前に記録させた最新のＫｂ個（Ｋｂは、（Ｌ−Ｋａ）以下の自然数）の当該測定データに対応付ける測定時刻を特定する測定データ記録装置。
【請求項９】
前記制御部は、前記Ｋａを（Ｌ／２）以下の自然数とし、かつ、前記Ｋｂを（Ｌ／２）以下の自然数として前記測定データに対応付ける測定時刻をそれぞれ特定する請求項７または８記載の測定データ記録装置。
【請求項１０】
前記制御部は、前記Ｋａ個の測定データの測定と前記Ｋｂ個の測定データの測定との間において測定させたＫｃ個（Ｋｃは（Ｌ−Ｋａ−Ｋｂ）の自然数）の前記測定データが存在するときに、当該Ｋｃ個の測定データに対応付ける測定時刻として、前記Ｋａ個の測定データに対応付ける測定時刻と同様にして特定した測定時刻と、前記Ｋｂ個の測定データに対応付ける測定時刻と同様にして特定した測定時刻とのいずれかを選択させるメッセージを出力し、選択の結果に応じた測定時刻を当該Ｋｃ個の測定データに対応付ける請求項７から９のいずれかに記載の測定データ記録装置。
【請求項１１】
前記制御部は、前記測定時刻を特定した前記Ｌ個の測定データのうちのいずれか２つの当該測定データの測定時刻が同一時刻のときに、当該同一時刻の両測定データのいずれを前記測定データ回収装置に回収させるかを選択させるメッセージを出力し、選択された当該測定データを出力する請求項７から１０のいずれかに記載の測定データ記録装置。
【請求項１２】
請求項７から１１のいずれかに記載の測定データ記録装置と、前記測定データ回収装置とを備えている測定データ記録システム。
【請求項１３】
設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを当該測定データの測定時刻に対応付けて回収する測定データ回収方法であって、
前記第３の情報および前記第４の情報の少なくとも一方に基づいて、前記記録処理の実行中に実行された前記時刻補正処理の実行回数を特定し、特定した実行回数がＮ回（Ｎは、２以上の自然数）のときに、前記第１の情報、前記第２の情報、前記第３の情報および前記第４の情報に基づいて、Ｍ回目（Ｍは、（Ｎ−１）以下の各自然数）の前記時刻補正処理と、（Ｍ＋１）回目の前記時刻補正処理との間において測定された前記測定データを特定し、特定した当該測定データがＬ個（Ｌは、２以上の自然数）のときに、当該Ｍ回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの前記Ｍ回目の時刻補正処理の完了後に最初に記録された当該測定データに続いて記録されたＫａ個（Ｋａは、（Ｌ−１）以下の自然数）の当該測定データに対応付ける測定時刻を特定し、かつ、当該（Ｍ＋１）回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの当該（Ｍ＋１）回目の時刻補正処理の実行前に記録された最新のＫｂ個（Ｋｂは、（Ｌ−Ｋａ）以下の自然数）の当該測定データに対応付ける測定時刻を特定する測定データ回収方法。
【請求項１４】
設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを当該測定データの測定時刻に対応付けて回収する測定データ回収方法であって、
前記第１の情報、前記第２の情報および前記第３の情報に基づいて、前記開始時刻と前記時刻補正処理との間において測定された前記測定データを特定し、特定した当該測定データがＬ個（Ｌは、２以上の自然数）のときに、前記第１の情報および前記第２の情報に基づいて、当該Ｌ個の測定データのうちの最初に記録された当該測定データに続いて記録されたＫａ個（Ｋａは、（Ｌ−１）以下の自然数）の当該測定データに対応付ける測定時刻を特定し、かつ、当該時刻補正処理の完了後に最初に記録された前記測定データの測定時刻を前記第４の情報に基づいて特定すると共に、特定した測定時刻および前記第２の情報に基づいて、当該Ｌ個の測定データのうちの前記時刻補正処理の実行前に記録された最新のＫｂ個（Ｋｂは、（Ｌ−Ｋａ）以下の自然数）の当該測定データに対応付ける測定時刻を特定する測定データ回収方法。
【請求項１５】
前記Ｋａを（Ｌ／２）以下の自然数とし、かつ、前記Ｋｂを（Ｌ／２）以下の自然数として前記測定データに対応付ける測定時刻をそれぞれ特定する請求項１３または１４記載の測定データ回収方法。
【請求項１６】
前記Ｋａ個の測定データの測定と前記Ｋｂ個の測定データの測定との間において測定されたＫｃ個（Ｋｃは（Ｌ−Ｋａ−Ｋｂ）の自然数）の前記測定データが存在するときに、当該Ｋｃ個の測定データに対応付ける測定時刻として、前記Ｋａ個の測定データに対応付ける測定時刻と同様にして特定した測定時刻と、前記Ｋｂ個の測定データに対応付ける測定時刻と同様にして特定した測定時刻とのいずれかを選択させるメッセージを出力し、選択の結果に応じた測定時刻を当該Ｋｃ個の測定データに対応付ける請求項１３から１５のいずれかに記載の測定データ回収方法。
【請求項１７】
前記測定時刻を特定した前記Ｌ個の測定データのうちのいずれか２つの当該測定データの測定時刻が同一時刻のときに、当該同一時刻の両測定データのいずれを回収するかを選択させるメッセージを出力し、選択された当該測定データを回収する請求項１３から１６のいずれかに記載の測定データ回収方法。
【発明の詳細な説明】
【技術分野】
【０００１】
本発明は、記録した測定データを測定データ回収装置に出力可能に構成された測定データ記録装置、測定データ記録装置から測定データを回収可能に構成された測定データ回収装置、測定データ記録装置と測定データ回収装置とを備えた測定データ記録システム、および測定データ記録装置から測定データを回収する測定データ回収方法に関するものである。
【背景技術】
【０００２】
この種の測定データ記録装置および測定データ回収装置を備えた測定データ記録システムとして、出願人は、測定データ記録装置および測定データ回収装置を備えて構成された測定データ記録システム（以下、単に「記録装置」、「回収装置」および「記録システム」ともいう）を特願２００９−１８４７１６号において開示している。この記録システムでは、記録装置が、予め設定された記録条件に従って周囲の温度を測定し、その測定結果を測定データとして内部メモリに記録する。また、この記録システムでは、回収装置から記録装置に時刻補正情報を送信することにより、記録装置の内部時計の時刻を補正することができるように構成されている。この場合、この記録装置では、回収装置から時刻補正情報が送信された際に時刻補正処理を実行して、時刻補正情報に合わせて内部時計の時刻を補正すると共に、一例として、時刻補正する直前の内部時計の時刻と、時刻補正処理の完了後に最初に実行する測定処理の実行時刻とを補正処理結果データとして記録する構成が採用されている。
【０００３】
一方、記録装置によって記録された測定データを回収装置によって回収する際には、記録装置に回収装置を接続した後に、回収装置において測定データ回収処理（以下、単に「回収処理」ともいう）を実行する。この回収処理では、まず、回収装置から記録装置に送信要求信号が送信される。この際には、記録装置が、内部メモリに記録した各測定データおよび補正処理結果データを回収装置に送信する。これに応じて、回収装置では、記録装置から送信された各測定データを、その測定時刻に対応付けてハードディスクドライブに記録する。この場合、記録装置から送信された測定データには、記録処理の開始時刻と、測定処理の時間間隔とがヘッダ情報の一部として記録されている。また、記録装置から送信された補正処理結果データには、上記したように、時刻補正する直前の内部時計の時刻と、時刻補正処理の完了後に最初に実行する測定処理の実行時刻とが記録されている。
【０００４】
したがって、回収装置の制御部は、測定データのヘッダ情報、および補正処理結果データに基づき、送信された各測定データが、記録処理の開始時刻と時刻補正処理の実行時刻との間において測定された測定データ、および時刻補正処理の実行後に測定された測定データのいずれであるかをそれぞれ特定する。また、制御部は、時刻補正処理の実行前に測定された測定データについては、記録処理の開始時刻、および測定処理の時間間隔に基づいて測定時刻を特定し、特定した測定時刻を対応付けてハードディスクドライブに記録する。さらに、制御部は、時刻補正処理の実行後に測定された測定データについては、補正処理結果データに記録されている時刻補正処理後に最初に実行された測定処理の実行時刻、および測定処理の時間間隔に基づいて測定時刻を特定し、特定した測定時刻を対応付けてハードディスクドライブに記録する。これにより、記録装置からの測定データの回収が完了する。
【先行出願１】
【０００５】
特願２００９−１８４７１６
【発明の概要】
【発明が解決しようとする課題】
【０００６】
ところが、出願人が開示している記録装置、回収装置および記録システム（測定データの回収方法）には、以下の改善すべき課題が存在する。すなわち、出願人が開示している回収装置では、時刻補正処理の実行前に測定された測定データについては、記録処理の開始時刻、および記録処理の時間間隔に基づいて測定時刻を特定すると共に、時刻補正処理の実行後に測定された測定データについては、時刻補正処理後に最初に実行された測定処理の実行時刻、および記録処理の時間間隔に基づいて測定時刻を特定する構成が採用されている。一方、この種の測定データを記録する記録装置に搭載されている内部時計には、内蔵バッテリの電圧降下や周囲の温度変化などが生じたときに、時刻の遅れが生じる傾向があるものと、時刻の進みが生じる傾向があるものとが存在する。
【０００７】
この場合、遅れが生じる傾向の内部時計を搭載した記録装置では、時刻補正処理の直後に実行される数回程度の測定処理については、内部時計に生じている時刻の狂いが小さいため、ほぼ正確な予定時刻に実行されるものの、時刻補正処理の実行時点から長時間が経過した後に実行される測定処理については、内部時計に生じている時刻の狂い（遅れ）が大きくなっていることに起因して、正確な予定時刻よりも遅れて実行されることとなる。また、進みが生じる傾向の内部時計を搭載した記録装置では、時刻補正処理の直後に実行される数回程度の測定処理については、ほぼ正確な予定時刻に実行されるものの、時刻補正処理の実行時点から長時間が経過した後に実行される測定処理については、内部時計に生じている時刻の狂い（進み）が大きくなっていることに起因して、正確な予定時刻よりも早い時点において実行されることとなる。
【０００８】
したがって、出願人が開示している回収装置では、時刻補正処理の実行後に測定された測定データについて、時刻補正処理後に最初に実行された測定処理の実行時刻（すなわち、時刻補正処理後の正確な時刻）に基づいて測定時刻を特定しているにも拘わらず、時刻補正処理の実行時点から長時間が経過した後に測定された測定データについては、実際の測定時刻（測定処理が実行された正しい時刻）とは相違する測定時刻が特定されることとなる。この場合、記録装置において定期的に時刻補正処理を実行することで、記録装置の内部時計の狂いが過剰に大きくなるのを回避して、回収装置において特定される測定時刻と実際の測定時刻との差異を小さくする方法が考えられる。
【０００９】
しかしながら、記録装置の内部時計を定期的に補正したとしても、時刻補正処理の直後に実行された測定処理の測定データに関して回収装置において特定される測定時刻と実際の測定時刻との差異に対して、次の時刻補正処理の直前に実行された測定処理の測定データに関して回収装置において特定される測定時刻と実際の測定時刻との差異が大きくなるのを回避することはできない。このため、記録装置において時刻補正処理を実行する間隔が長い場合には、一連の記録処理によって記録された各測定データ毎の回収装置において特定される測定時刻と実際の測定時刻との差異のばらつきが大きくなるため、この点を改善するのが好ましい。
【００１０】
なお、複数回の時刻補正処理の間に実行された測定処理の測定データについて説明したが、最初の時刻補正処理の実行前に実行された測定処理の測定データについても、記録処理の開始直後に実行された測定処理の測定データに関して回収装置において特定される測定時刻と実際の測定時刻との差異に対して、最初の時刻補正処理の直前に実行された測定処理の測定データに関して回収装置において特定される測定時刻と実際の測定時刻との差異が大きくなる。このため、仮に、記録処理の開始に先立って記録装置の内部時計を補正したとしても、最初の時刻補正処理が実行されるまでの時間が長い場合には、一連の記録処理によって記録された各測定データ毎の回収装置において特定される測定時刻と実際の測定時刻との差異のばらつきが大きくなるため、この点も改善するのが好ましい。
【００１１】
本発明は、かかる改善すべき課題に鑑みてなされたものであり、回収した一連の測定データに対応付ける測定時刻と、各測定データの実際の測定時刻との時間差のばらつきを十分に小さくし得る測定データ回収装置、測定データ記録装置、測定データ記録システムおよび測定データ回収方法を提供することを主目的とする。
【課題を解決するための手段】
【００１２】
上記目的を達成すべく、請求項１記載の測定データ回収装置は、設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを回収する測定データ回収装置であって、前記測定データを記録する記録部と、前記測定データの測定時刻を特定すると共に特定した測定時刻に対応付けて当該測定データを前記記録部に記録させる制御部とを備え、前記制御部は、前記第３の情報および前記第４の情報の少なくとも一方に基づいて、前記記録処理の実行中に実行された前記時刻補正処理の実行回数を特定し、特定した実行回数がＮ回（Ｎは、２以上の自然数）のときに、前記第１の情報、前記第２の情報、前記第３の情報および前記第４の情報に基づいて、Ｍ回目（Ｍは、（Ｎ−１）以下の各自然数）の前記時刻補正処理と、（Ｍ＋１）回目の前記時刻補正処理との間において測定された前記測定データを特定し、特定した当該測定データがＬ個（Ｌは、２以上の自然数）のときに、当該Ｍ回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの前記Ｍ回目の時刻補正処理の完了後に最初に記録された当該測定データに続いて記録されたＫａ個（Ｋａは、（Ｌ−１）以下の自然数）の当該測定データに対応付ける測定時刻を特定し、かつ、当該（Ｍ＋１）回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの当該（Ｍ＋１）回目の時刻補正処理の実行前に記録された最新のＫｂ個（Ｋｂは、（Ｌ−Ｋａ）以下の自然数）の当該測定データに対応付ける測定時刻を特定する。
【００１３】
また、請求項２記載の測定データ回収装置は、設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを回収する測定データ回収装置であって、前記測定データを記録する記録部と、前記測定データの測定時刻を特定すると共に特定した測定時刻に対応付けて当該測定データを前記記録部に記録させる制御部とを備え、前記制御部は、前記第１の情報、前記第２の情報および前記第３の情報に基づいて、前記開始時刻と前記時刻補正処理との間において測定された前記測定データを特定し、特定した当該測定データがＬ個（Ｌは、２以上の自然数）のときに、前記第１の情報および前記第２の情報に基づいて、当該Ｌ個の測定データのうちの最初に記録された当該測定データに続いて記録されたＫａ個（Ｋａは、（Ｌ−１）以下の自然数）の当該測定データに対応付ける測定時刻を特定し、かつ、当該時刻補正処理の完了後に最初に記録された前記測定データの測定時刻を前記第４の情報に基づいて特定すると共に、特定した測定時刻および前記第２の情報に基づいて、当該Ｌ個の測定データのうちの前記時刻補正処理の実行前に記録された最新のＫｂ個（Ｋｂは、（Ｌ−Ｋａ）以下の自然数）の当該測定データに対応付ける測定時刻を特定する。
【００１４】
また、請求項３記載の測定データ回収装置は、請求項１または２記載の測定データ回収装置において、前記制御部は、前記Ｋａを（Ｌ／２）以下の自然数とし、かつ、前記Ｋｂを（Ｌ／２）以下の自然数として前記測定データに対応付ける測定時刻をそれぞれ特定する。
【００１５】
さらに、請求項４記載の測定データ回収装置は、請求項１から３のいずれかに記載の測定データ回収装置において、前記制御部は、前記Ｋａ個の測定データの測定と前記Ｋｂ個の測定データの測定との間において測定されたＫｃ個（Ｋｃは（Ｌ−Ｋａ−Ｋｂ）の自然数）の前記測定データが存在するときに、当該Ｋｃ個の測定データに対応付ける測定時刻として、前記Ｋａ個の測定データに対応付ける測定時刻と同様にして特定した測定時刻と、前記Ｋｂ個の測定データに対応付ける測定時刻と同様にして特定した測定時刻とのいずれかを選択させるメッセージを出力し、選択の結果に応じた測定時刻を当該Ｋｃ個の測定データに対応付けて前記記録部に記録させる。
【００１６】
さらに、請求項５記載の測定データ回収装置は、請求項１から４のいずれかに記載の測定データ回収装置において、前記制御部は、前記測定時刻を特定した前記Ｌ個の測定データのうちのいずれか２つの当該測定データの測定時刻が同一時刻のときに、当該同一時刻の両測定データのいずれを前記記録部に記録させるかを選択させるメッセージを出力し、選択された当該測定データを前記記録部に記録させる。
【００１７】
また、請求項６記載の測定データ記録システムは、請求項１から５のいずれかに記載の測定データ回収装置と、前記測定データ記録装置とを備えている。
【００１８】
また、請求項７記載の測定データ記録装置は、測定対象信号の電気的パラメータを測定する測定部と、設定された時間間隔で前記測定部に前記電気的パラメータを測定させて測定データを記録部に記録させる記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録させた前記測定データを特定可能な第３の情報、および前記時刻補正処理の完了後に最初に記録させた前記測定データの測定時刻を特定可能な第４の情報を前記測定データと共に前記記録部に記録させ、かつ、前記測定データを回収する測定データ回収装置からの要求に応じて、当該測定データの測定時刻を特定すると共に特定した測定時刻に対応付けて当該測定データを出力する制御部を備えた測定データ記録装置であって、前記制御部は、前記第３の情報および前記第４の情報の少なくとも一方に基づいて、前記記録処理の実行中に実行した前記時刻補正処理の実行回数を特定し、特定した実行回数がＮ回（Ｎは、２以上の自然数）のときに、前記第１の情報、前記第２の情報、前記第３の情報および前記第４の情報に基づいて、Ｍ回目（Ｍは、（Ｎ−１）以下の各自然数）の前記時刻補正処理と、（Ｍ＋１）回目の前記時刻補正処理との間において測定させた前記測定データを特定し、特定した当該測定データがＬ個（Ｌは、２以上の自然数）のときに、当該Ｍ回目の時刻補正処理の完了後に最初に記録させた前記測定データの測定時刻を前記第４の情報に基づいて特定すると共に、特定した測定時刻および前記第２の情報に基づいて、当該Ｌ個の測定データのうちの前記Ｍ回目の時刻補正処理の完了後に最初に記録させた当該測定データに続いて記録させたＫａ個（Ｋａは、（Ｌ−１）以下の自然数）の当該測定データに対応付ける測定時刻を特定し、かつ、当該（Ｍ＋１）回目の時刻補正処理の完了後に最初に記録させた前記測定データの測定時刻を前記第４の情報に基づいて特定すると共に、特定した測定時刻および前記第２の情報に基づいて、当該Ｌ個の測定データのうちの当該（Ｍ＋１）回目の時刻補正処理の実行前に記録させた最新のＫｂ個（Ｋｂは、（Ｌ−Ｋａ）以下の自然数）の当該測定データに対応付ける測定時刻を特定する。
【００１９】
また、請求項８記載の測定データ記録装置は、測定対象信号の電気的パラメータを測定する測定部と、設定された時間間隔で前記測定部に前記電気的パラメータを測定させて測定データを記録部に記録させる記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録させた前記測定データを特定可能な第３の情報、および前記時刻補正処理の完了後に最初に記録させた前記測定データの測定時刻を特定可能な第４の情報を前記測定データと共に前記記録部に記録させ、かつ、前記測定データを回収する測定データ回収装置からの要求に応じて、当該測定データの測定時刻を特定すると共に特定した測定時刻に対応付けて当該測定データを出力する制御部を備えた測定データ記録装置であって、前記制御部は、前記第１の情報、前記第２の情報および前記第３の情報に基づいて、前記開始時刻と前記時刻補正処理との間において測定させた前記測定データを特定し、特定した当該測定データがＬ個（Ｌは、２以上の自然数）のときに、前記第１の情報および前記第２の情報に基づいて、当該Ｌ個の測定データのうちの最初に記録させた当該測定データに続いて記録させたＫａ個（Ｋａは、（Ｌ−１）以下の自然数）の当該測定データに対応付ける測定時刻を特定し、かつ、当該時刻補正処理の完了後に最初に記録させた前記測定データの測定時刻を前記第４の情報に基づいて特定すると共に、特定した測定時刻および前記第２の情報に基づいて、当該Ｌ個の測定データのうちの前記時刻補正処理の実行前に記録させた最新のＫｂ個（Ｋｂは、（Ｌ−Ｋａ）以下の自然数）の当該測定データに対応付ける測定時刻を特定する。
【００２０】
また、請求項９記載の測定データ記録装置は、請求項７または８記載の測定データ記録装置において、前記制御部は、前記Ｋａを（Ｌ／２）以下の自然数とし、かつ、前記Ｋｂを（Ｌ／２）以下の自然数として前記測定データに対応付ける測定時刻をそれぞれ特定する。
【００２１】
さらに、請求項１０記載の測定データ記録装置は、請求項７から９のいずれかに記載の測定データ記録装置において、前記制御部は、前記Ｋａ個の測定データの測定と前記Ｋｂ個の測定データの測定との間において測定させたＫｃ個（Ｋｃは（Ｌ−Ｋａ−Ｋｂ）の自然数）の前記測定データが存在するときに、当該Ｋｃ個の測定データに対応付ける測定時刻として、前記Ｋａ個の測定データに対応付ける測定時刻と同様にして特定した測定時刻と、前記Ｋｂ個の測定データに対応付ける測定時刻と同様にして特定した測定時刻とのいずれかを選択させるメッセージを出力し、選択の結果に応じた測定時刻を当該Ｋｃ個の測定データに対応付ける。
【００２２】
さらに、請求項１１記載の測定データ記録装置は、請求項７から１０のいずれかに記載の測定データ記録装置において、前記制御部は、前記測定時刻を特定した前記Ｌ個の測定データのうちのいずれか２つの当該測定データの測定時刻が同一時刻のときに、当該同一時刻の両測定データのいずれを前記測定データ回収装置に回収させるかを選択させるメッセージを出力し、選択された当該測定データを出力する。
【００２３】
また、請求項１２記載の測定データ記録システムは、請求項７から１１のいずれかに記載の測定データ記録装置と、前記測定データ回収装置とを備えている。
【００２４】
また、請求項１３記載の測定データ回収方法は、設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを当該測定データの測定時刻に対応付けて回収する測定データ回収方法であって、前記第３の情報および前記第４の情報の少なくとも一方に基づいて、前記記録処理の実行中に実行された前記時刻補正処理の実行回数を特定し、特定した実行回数がＮ回（Ｎは、２以上の自然数）のときに、前記第１の情報、前記第２の情報、前記第３の情報および前記第４の情報に基づいて、Ｍ回目（Ｍは、（Ｎ−１）以下の各自然数）の前記時刻補正処理と、（Ｍ＋１）回目の前記時刻補正処理との間において測定された前記測定データを特定し、特定した当該測定データがＬ個（Ｌは、２以上の自然数）のときに、当該Ｍ回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの前記Ｍ回目の時刻補正処理の完了後に最初に記録された当該測定データに続いて記録されたＫａ個（Ｋａは、（Ｌ−１）以下の自然数）の当該測定データに対応付ける測定時刻を特定し、かつ、当該（Ｍ＋１）回目の時刻補正処理の完了後に最初に記録された前記測定データの測定時刻を前記第４の情報に基づいて特定すると共に、特定した測定時刻および前記第２の情報に基づいて、当該Ｌ個の測定データのうちの当該（Ｍ＋１）回目の時刻補正処理の実行前に記録された最新のＫｂ個（Ｋｂは、（Ｌ−Ｋａ）以下の自然数）の当該測定データに対応付ける測定時刻を特定する。
【００２５】
また、請求項１４記載の測定データ回収方法は、設定された時間間隔で測定対象信号の電気的パラメータを測定して測定データを記録する記録処理、および取得した時刻補正情報に基づいて内部時計の時刻を補正する時刻補正処理を実行可能に構成されると共に、前記記録処理の開始時刻を特定可能な第１の情報、前記設定された時間間隔を特定可能な第２の情報、前記時刻補正処理の実行前に記録した前記測定データを特定可能な第３の情報、および前記時刻補正処理の完了後に最初に記録した前記測定データの測定時刻を特定可能な第４の情報を前記測定データと共に出力可能に構成された測定データ記録装置から当該測定データを当該測定データの測定時刻に対応付けて回収する測定データ回収方法であって、前記第１の情報、前記第２の情報および前記第３の情報に基づいて、前記開始時刻と前記時刻補正処理との間において測定された前記測定データを特定し、特定した当該測定データがＬ個（Ｌは、２以上の自然数）のときに、前記第１の情報および前記第２の情報に基づいて、当該Ｌ個の測定データのうちの最初に記録された当該測定データに続いて記録されたＫａ個（Ｋａは、（Ｌ−１）以下の自然数）の当該測定データに対応付ける測定時刻を特定し、かつ、当該時刻補正処理の完了後に最初に記録された前記測定データの測定時刻を前記第４の情報に基づいて特定すると共に、特定した測定時刻および前記第２の情報に基づいて、当該Ｌ個の測定データのうちの前記時刻補正処理の実行前に記録された最新のＫｂ個（Ｋｂは、（Ｌ−Ｋａ）以下の自然数）の当該測定データに対応付ける測定時刻を特定する。
【００２６】
また、請求項１５記載の測定データ回収方法は、請求項１３または１４記載の測定データ回収方法において、前記Ｋａを（Ｌ／２）以下の自然数とし、かつ、前記Ｋｂを（Ｌ／２）以下の自然数として前記測定データに対応付ける測定時刻をそれぞれ特定する。
【００２７】
さらに、請求項１６記載の測定データ回収方法は、請求項１３から１５のいずれかに記載の測定データ回収方法において、前記Ｋａ個の測定データの測定と前記Ｋｂ個の測定データの測定との間において測定されたＫｃ個（Ｋｃは（Ｌ−Ｋａ−Ｋｂ）の自然数）の前記測定データが存在するときに、当該Ｋｃ個の測定データに対応付ける測定時刻として、前記Ｋａ個の測定データに対応付ける測定時刻と同様にして特定した測定時刻と、前記Ｋｂ個の測定データに対応付ける測定時刻と同様にして特定した測定時刻とのいずれかを選択させるメッセージを出力し、選択の結果に応じた測定時刻を当該Ｋｃ個の測定データに対応付ける。
【００２８】
さらに、請求項１７記載の測定データ回収方法は、請求項１３から１６のいずれかに記載の測定データ回収方法において、前記測定時刻を特定した前記Ｌ個の測定データのうちのいずれか２つの当該測定データの測定時刻が同一時刻のときに、当該同一時刻の両測定データのいずれを回収するかを選択させるメッセージを出力し、選択された当該測定データを回収する。
【発明の効果】
【００２９】
請求項１記載の測定データ回収装置では、制御部が、時刻補正処理の実行前に記録された測定データを特定可能な第３の情報、および時刻補正処理の完了後に最初に記録された測定データの測定時刻を特定可能な第４の情報の少なくとも一方に基づいて、記録処理の実行中に実行された時刻補正処理の実行回数を特定し、特定した実行回数がＮ回のときに、記録処理の開始時刻を特定可能な第１の情報、設定された時間間隔を特定可能な第２の情報、第３の情報および第４の情報に基づいて、Ｍ回目の時刻補正処理と、（Ｍ＋１）回目の時刻補正処理との間において測定された測定データを特定し、特定した測定データがＬ個のときに、Ｍ回目の時刻補正処理の完了後に最初に記録された測定データの測定時刻を第４の情報に基づいて特定すると共に、特定した測定時刻および第２の情報に基づいて、Ｌ個の測定データのうちのＭ回目の時刻補正処理の完了後に最初に記録された測定データに続いて記録されたＫａ個（Ｋａは、（Ｌ−１）以下の自然数）の測定データに対応付ける測定時刻を特定し、かつ、（Ｍ＋１）回目の時刻補正処理の完了後に最初に記録された測定データの測定時刻を第４の情報に基づいて特定すると共に、特定した測定時刻および第２の情報に基づいて、Ｌ個の測定データのうちの（Ｍ＋１）回目の時刻補正処理の実行前に記録された最新のＫｂ個（Ｋｂは、（Ｌ−Ｋａ）以下の自然数）の測定データに対応付ける測定時刻を特定する。また、請求項６記載の測定データ記録システムは、上記の測定データ回収装置と、測定データ記録装置とを備えている。
【００３０】
また、請求項７記載の測定データ記録装置では、制御部が、時刻補正処理の実行前に記録させた測定データを特定可能な第３の情報、および時刻補正処理の完了後に最初に記録させた測定データの測定時刻を特定可能な第４の情報の少なくとも一方に基づいて、記録処理の実行中に実行した時刻補正処理の実行回数を特定し、特定した実行回数がＮ回のときに、記録処理の開始時刻を特定可能な第１の情報、設定された時間間隔を特定可能な第２の情報、第３の情報および第４の情報に基づいて、Ｍ回目の時刻補正処理と、（Ｍ＋１）回目の時刻補正処理との間において測定させた測定データを特定し、特定した測定データがＬ個のときに、Ｍ回目の時刻補正処理の完了後に最初に記録させた測定データの測定時刻を第４の情報に基づいて特定すると共に、特定した測定時刻および第２の情報に基づいて、Ｌ個の測定データのうちのＭ回目の時刻補正処理の完了後に最初に記録させた測定データに続いて記録させたＫａ個（Ｋａは、（Ｌ−１）以下の自然数）の測定データに対応付ける測定時刻を特定し、かつ、（Ｍ＋１）回目の時刻補正処理の完了後に最初に記録させた測定データの測定時刻を第４の情報に基づいて特定すると共に、特定した測定時刻および第２の情報に基づいて、Ｌ個の測定データのうちの（Ｍ＋１）回目の時刻補正処理の実行前に記録させた最新のＫｂ個（Ｋｂは、（Ｌ−Ｋａ）以下の自然数）の測定データに対応付ける測定時刻を特定する。また、請求項１２記載の測定データ記録システムは、上記の測定データ記録装置と、測定データ回収装置とを備えている。
【００３１】
さらに、請求項１３記載の測定データ回収方法では、時刻補正処理の実行前に記録された測定データを特定可能な第３の情報、および時刻補正処理の完了後に最初に記録された測定データの測定時刻を特定可能な第４の情報の少なくとも一方に基づいて、記録処理の実行中に実行された時刻補正処理の実行回数を特定し、特定した実行回数がＮ回のときに、記録処理の開始時刻を特定可能な第１の情報、設定された時間間隔を特定可能な第２の情報、第３の情報および第４の情報に基づいて、Ｍ回目の時刻補正処理と、（Ｍ＋１）回目の時刻補正処理との間において測定された測定データを特定し、特定した測定データがＬ個のときに、Ｍ回目の時刻補正処理の完了後に最初に記録された測定データの測定時刻を第４の情報に基づいて特定すると共に、特定した測定時刻および第２の情報に基づいて、Ｌ個の測定データのうちのＭ回目の時刻補正処理の完了後に最初に記録された測定データに続いて記録されたＫａ個（Ｋａは、（Ｌ−１）以下の自然数）の測定データに対応付ける測定時刻を特定し、かつ、（Ｍ＋１）回目の時刻補正処理の完了後に最初に記録された測定データの測定時刻を第４の情報に基づいて特定すると共に、特定した測定時刻および第２の情報に基づいて、Ｌ個の測定データのうちの（Ｍ＋１）回目の時刻補正処理の実行前に記録された最新のＫｂ個（Ｋｂは、（Ｌ−Ｋａ）以下の自然数）の測定データに対応付ける測定時刻を特定する。
【００３２】
したがって、請求項１記載の測定データ回収装置、請求項７記載の測定データ記録装置、請求項６，１２記載の測定データ記録システム、および請求項１３記載の測定データ回収方法によれば、内部時計に遅れまたは進みが生じる傾向のある測定データ記録装置においてＭ回目の時刻補正処理とＭ＋１回目の時刻補正処理との間において複数回の測定処理が実行されたときに、測定データ記録装置における内部時計の狂いが大きくなるＬ個目の測定データ（Ｍ＋１回目の時刻補正処理の直前に測定された測定データ）を含むＫｂ個の測定データの測定時刻を、Ｍ＋１回目の時刻補正処理によって補正された正しい時刻に基づいて特定するため、各測定データに対応付けられる測定時刻と、これらの測定データの実際の測定時刻との時間差を十分に小さくすることができる。これにより、この測定データ回収装置、測定データ記録装置、測定データ記録システムおよび測定データ回収方法によれば、測定データ記録装置から測定データ回収装置に回収した一連の測定データに対応付ける測定時刻と、各測定データの実際の測定時刻との時間差のばらつきを十分に小さくすることができる。
【００３３】
また、請求項２記載の測定データ回収装置では、制御部が、記録処理の開始時刻を特定可能な第１の情報、設定された時間間隔を特定可能な第２の情報、および時刻補正処理の実行前に記録された測定データを特定可能な第３の情報に基づいて、開始時刻と時刻補正処理との間において測定された測定データを特定し、特定した測定データがＬ個のときに、第１の情報および第２の情報に基づいて、Ｌ個の測定データのうちの最初に記録された測定データに続いて記録されたＫａ個（Ｋａは、（Ｌ−１）以下の自然数）の測定データに対応付ける測定時刻を特定し、かつ、時刻補正処理の完了後に最初に記録された測定データの測定時刻を、時刻補正処理の完了後に最初に記録された測定データの測定時刻を特定可能な第４の情報に基づいて特定すると共に、特定した測定時刻および第２の情報に基づいて、Ｌ個の測定データのうちの時刻補正処理の実行前に記録された最新のＫｂ個（Ｋｂは、（Ｌ−Ｋａ）以下の自然数）の測定データに対応付ける測定時刻を特定する。また、請求項６記載の測定データ記録システムは、上記の測定データ回収装置と、測定データ記録装置とを備えている。
【００３４】
また、請求項８記載の測定データ記録装置では、制御部が、記録処理の開始時刻を特定可能な第１の情報、設定された時間間隔を特定可能な第２の情報、および時刻補正処理の実行前に記録させた測定データを特定可能な第３の情報に基づいて、開始時刻と時刻補正処理との間において測定させた測定データを特定し、特定した測定データがＬ個のときに、第１の情報および第２の情報に基づいて、Ｌ個の測定データのうちの最初に記録させた測定データに続いて記録させたＫａ個（Ｋａは、（Ｌ−１）以下の自然数）の測定データに対応付ける測定時刻を特定し、かつ、時刻補正処理の完了後に最初に記録させた測定データの測定時刻を、時刻補正処理の完了後に最初に記録させた測定データの測定時刻を特定可能な第４の情報に基づいて特定すると共に、特定した測定時刻および第２の情報に基づいて、Ｌ個の測定データのうちの時刻補正処理の実行前に記録させた最新のＫｂ個（Ｋｂは、（Ｌ−Ｋａ）以下の自然数）の測定データに対応付ける測定時刻を特定する。また、請求項１２記載の測定データ記録システムは、上記の測定データ記録装置と、測定データ回収装置とを備えている。
【００３５】
さらに、請求項１４記載の測定データ記録装置では、記録処理の開始時刻を特定可能な第１の情報、設定された時間間隔を特定可能な第２の情報、および時刻補正処理の実行前に記録された測定データを特定可能な第３の情報に基づいて、開始時刻と時刻補正処理との間において測定された測定データを特定し、特定した測定データがＬ個のときに、第１の情報および第２の情報に基づいて、Ｌ個の測定データのうちの最初に記録された測定データに続いて記録されたＫａ個（Ｋａは、（Ｌ−１）以下の自然数）の測定データに対応付ける測定時刻を特定し、かつ、時刻補正処理の完了後に最初に記録された測定データの測定時刻を、時刻補正処理の完了後に最初に記録された測定データの測定時刻を特定可能な第４の情報に基づいて特定すると共に、特定した測定時刻および第２の情報に基づいて、Ｌ個の測定データのうちの時刻補正処理の実行前に記録された最新のＫｂ個（Ｋｂは、（Ｌ−Ｋａ）以下の自然数）の測定データに対応付ける測定時刻を特定する。
【００３６】
したがって、請求項２記載の測定データ回収装置、請求項８記載の測定データ記録装置、請求項６，１２記載の測定データ記録システム、および請求項１４記載の測定データ回収方法によれば、内部時計に遅れまたは進みが生じる傾向のある測定データ記録装置において記録処理の開始時刻と１回目の時刻補正処理との間において複数回の測定処理が実行されたときに、測定データ記録装置における内部時計の狂いが大きくなるＬ個目の測定データ（１回目の時刻補正処理の直前に測定された測定データ）を含むＫｂ個の測定データの測定時刻を、１回目の時刻補正処理によって補正された正しい時刻に基づいて特定するため、各測定データに対応付けられる測定時刻と、これらの測定データの実際の測定時刻との時間差を十分に小さくすることができる。これにより、この測定データ回収装置、測定データ記録装置、測定データ記録システムおよび測定データ回収方法によれば、測定データ記録装置から測定データ回収装置に回収した一連の測定データに対応付ける測定時刻と、各測定データの実際の測定時刻との時間差のばらつきを十分に小さくすることができる。
【００３７】
また、請求項３記載の測定データ回収装置では、制御部が、Ｋａを（Ｌ／２）以下の自然数とし、かつ、Ｋｂを（Ｌ／２）以下の自然数として測定データに対応付ける測定時刻をそれぞれ特定する。また、請求項９記載の測定データ記録装置では、制御部が、Ｋａを（Ｌ／２）以下の自然数とし、かつ、Ｋｂを（Ｌ／２）以下の自然数として測定データに対応付ける測定時刻をそれぞれ特定する。さらに、請求項１５記載の測定データ回収方法では、Ｋａを（Ｌ／２）以下の自然数とし、かつ、Ｋｂを（Ｌ／２）以下の自然数として測定データに対応付ける測定時刻をそれぞれ特定する。したがって、請求項３記載の測定データ回収装置、請求項９記載の測定データ記録装置、および請求項１５記載の測定データ回収方法によれば、Ｌが４つを超える場合において、ＫａおよびＫｂのいずれか一方を「Ｌ／２を超える数」として測定データに対応付ける測定時刻をそれぞれ特定するのと比較して、Ｌ個の測定データの実際の測定時刻との時間差のばらつきを一層小さくすることができる。
【００３８】
さらに、請求項４記載の測定データ回収装置では、制御部が、Ｋａ個の測定データの測定とＫｂ個の測定データの測定との間において測定されたＫｃ個の測定データが存在するときに、Ｋｃ個の測定データに対応付ける測定時刻として、Ｋａ個の測定データに対応付ける測定時刻と同様にして特定した測定時刻と、Ｋｂ個の測定データに対応付ける測定時刻と同様にして特定した測定時刻とのいずれかを選択させるメッセージを出力し、選択の結果に応じた測定時刻をＫｃ個の測定データに対応付けて記録部に記録させる。また、請求項６記載の測定データ記録システムは、上記の測定データ回収装置と、測定データ記録装置とを備えている。
【００３９】
さらに、請求項１０記載の測定データ記録装置では、制御部が、Ｋａ個の測定データの測定とＫｂ個の測定データの測定との間において測定させたＫｃ個の測定データが存在するときに、Ｋｃ個の測定データに対応付ける測定時刻として、Ｋａ個の測定データに対応付ける測定時刻と同様にして特定した測定時刻と、Ｋｂ個の測定データに対応付ける測定時刻と同様にして特定した測定時刻とのいずれかを選択させるメッセージを出力し、選択の結果に応じた測定時刻をＫｃ個の測定データに対応付ける。また、請求項１２記載の測定データ記録システムは、上記の測定データ記録装置と、測定データ回収装置とを備えている。
【００４０】
さらに、請求項１６記載の測定データ回収方法では、Ｋａ個の測定データの測定とＫｂ個の測定データの測定との間において測定されたＫｃ個の測定データが存在するときに、Ｋｃ個の測定データに対応付ける測定時刻として、Ｋａ個の測定データに対応付ける測定時刻と同様にして特定した測定時刻と、Ｋｂ個の測定データに対応付ける測定時刻と同様にして特定した測定時刻とのいずれかを選択させるメッセージを出力し、選択の結果に応じた測定時刻をＫｃ個の測定データに対応付ける。
【００４１】
したがって、請求項４記載の測定データ回収装置、請求項１０記載の測定データ記録装置、請求項６，１２記載の測定データ記録システム、および請求項１６記載の測定データ回収方法によれば、いずれを採用すべきかを自動判別するのが困難な「Ｋａ個の測定データの測定とＫｂ個の測定データの測定との間において測定されたＫｃ個の測定データの測定時刻」について、利用者に自由に選択させて回収することができる。
【００４２】
さらに、請求項５記載の測定データ回収装置では、制御部が、測定時刻を特定したＬ個の測定データのうちのいずれか２つの測定データの測定時刻が同一時刻のときに、同一時刻の両測定データのいずれを記録部に記録させるかを選択させるメッセージを出力し、選択された測定データを記録部に記録させる。また、請求項６記載の測定データ記録システムは、上記の測定データ回収装置と、測定データ記録装置とを備えている。
【００４３】
さらに、請求項１１記載の測定データ記録装置では、制御部が、測定時刻を特定したＬ個の測定データのうちのいずれか２つの測定データの測定時刻が同一時刻のときに、同一時刻の両測定データのいずれを測定データ回収装置に出力するかを選択させるメッセージを出力し、選択された測定データを出力する。また、請求項１２記載の測定データ記録システムは、上記の測定データ記録装置と、測定データ回収装置とを備えている。
【００４４】
さらに、請求項１７記載の測定データ回収方法では、測定時刻を特定したＬ個の測定データのうちのいずれか２つの測定データの測定時刻が同一時刻のときに、同一時刻の両測定データのいずれを回収するかを選択させるメッセージを出力し、選択された測定データを回収する。
【００４５】
したがって、請求項５記載の測定データ回収装置、請求項１１記載の測定データ記録装置、請求項６，１２記載の測定データ記録システム、および請求項１７記載の測定データ回収方法によれば、いずれを採用すべきかを自動判別するのが困難な「測定時刻が重複した測定データ」について、利用者に自由に選択させて回収することができる。
【図面の簡単な説明】
【００４６】
【図１】測定データ記録システム１００（測定データ記録装置１および測定データ回収装置２）のブロック図である。
【図２】測定データ回収装置２によって実行される測定データ回収処理５０のフローチャートである。
【図３】測定データ回収処理５０における測定時刻特定処理６０のフローチャートである。
【図４】測定データ回収処理５０における測定時刻特定処理７０のフローチャートである。
【図５】測定データＤ１の一例を示すデータ構造図である。
【図６】補正処理結果データＤ２の一例を示すデータ構造図である。
【図７】測定データ記録装置１において実行される測定処理および時刻補正処理と、測定データ回収装置２において特定される各測定データの測定時刻との関係について説明するための説明図である。
【図８】補正処理結果データＤ２の他の一例を示すデータ構造図である。
【図９】測定データ記録装置１において実行される測定処理および時刻補正処理と、測定データ回収装置２において特定される各測定データの測定時刻との関係について説明するための他の説明図である。
【発明を実施するための形態】
【００４７】
以下、本発明に係る測定データ回収装置、測定データ記録装置、測定データ記録システム、および測定データ回収方法の実施の形態について、添付図面を参照して説明する。
【００４８】
図１に示すように、測定データ記録システム１００は、測定データ記録装置１および測定データ回収装置２を備えて構成されている。なお、この測定データ記録システム１００は、複数台の測定データ記録装置１を備えて構成することもできるが、理解を容易とするために、１台の測定データ記録装置１と１台の測定データ回収装置２とで構成した例（１台の測定データ記録装置１と１台の測定データ回収装置２とを使用して測定データを記録する例）について以下に説明する。
【００４９】
測定データ記録装置１は、測定部１１、内部時計１２、内部メモリ１３、通信部１４、外部メモリ装着部１５、操作部１６、表示部１７および制御部１８を備えている。測定部１１は、入力信号の電気的パラメータを測定して測定データＤ０を出力する測定処理を実行する。具体的には、測定部１１は、一例として、図示しない温度センサに接続されると共に、周囲の温度の変化に応じて温度センサによって入力された信号の電気的パラメータ（温度センサに接続された一対の信号ケーブル間の電圧値）を測定して測定データＤ０として出力する。内部時計１２は、現在時刻を計時して時刻データＤｔ１を出力する。内部メモリ１３は、一例としてフラッシュメモリで構成されると共に、後述するように制御部１８の制御に従って測定データＤ１（図５参照）や補正処理結果データＤ２（図６，８参照）を記録する。
【００５０】
通信部１４は、後述するようにして、測定データ回収装置２から送信された記録条件データＤｓ０、時刻補正データＤｔ０および送信要求信号Ｓなどを受信して制御部１８に転送すると共に、制御部１８の制御に従って測定データＤ１や補正処理結果データＤ２を測定データ回収装置２に送信する。外部メモリ装着部１５は、既存のメモリカードＭ（リムーバブルメモリ）を装着可能に構成されると共に、制御部１８の制御に従い、装着されたメモリカードＭに対する各種記録データの記録および読み出しを実行する。操作部１６は、測定データＤ１の記録処理を開始／停止するためのスタート／ストップスイッチや測定データ記録装置１の動作条件を設定するための各種操作スイッチを備え、スイッチ操作に応じた操作信号を制御部１８に出力する。表示部１７は、一例として液晶表示パネルを備え、制御部１８の制御に従い、測定結果や、測定データ記録装置１の動作状態などの各種の文字情報を表示する。
【００５１】
制御部１８は、測定データ記録装置１を総括的に制御する。具体的には、制御部１８は、測定データ回収装置２から送信されて通信部１４によって受信された記録条件データＤｓ０に基づいて測定データ記録装置１において実行すべき記録処理の条件を設定する。また、制御部１８は、測定データ回収装置２から送信されて通信部１４によって受信された時刻補正データＤｔ０（「取得した時刻補正情報」の一例）に基づいて内部時計１２の時刻を補正する時刻補正処理を実行する。さらに、制御部１８は、内部時計１２から出力された時刻データＤｔ１に基づいて時刻を特定すると共に、測定部１１を制御して予め設定された時間間隔で測定処理を実行させる。また、制御部１８は、測定処理によって測定部１１から出力された測定データＤ０に基づいて測定データ記録装置１の周囲（温度センサの周囲）の温度を演算して測定データを生成し、生成した測定データを測定データＤ１の各レコード（図５において「０００１」，「０００２」・・との数値を付して示した記録領域）に順次追記して内部メモリ１３に記録させる記録処理を実行する。なお、以下の説明においては、測定データＤ０に基づいて演算した測定データと、この測定データを順次追記した測定データＤ１とを区別するために、上記の「演算した測定データ」を「測定値」ともいう。
【００５２】
この場合、制御部１８は、記録処理において、記録処理の開始時刻を特定可能な情報（第１の情報）、および測定部１１に対して測定処理を実行させる時間間隔を特定可能な情報（第２の情報）を上記の測定データＤ１に含ませて内部メモリ１３に記録させる。なお、測定データＤ１の各レコードに測定値を順次追記する構成に代えて、内部メモリ１３内にリングバッファ形式で最新の所定数の測定値を順次記録する複数の記録領域を規定し、この記録領域内に先入れ先出し法に従って測定値を順次記録する構成を採用することもできる。また、制御部１８は、時刻補正処理において、時刻補正データＤｔ０に対応する時刻が、測定部１１に対して最新に実行させた測定処理の実行時刻以前の時刻、および測定部１１に対して次に実行させる測定処理の実行時刻よりも後の時刻のいずれかのときに、時刻補正処理の開始以前に実行させた各測定処理の測定値を特定可能な情報（第３の情報：一例として、時刻補正処理によって補正される直前の内部時計１２の時刻）と、時刻補正処理の完了後に最初に実行させる測定処理の測定値の測定時刻を特定可能な情報（第４の情報）とを記録した補正処理結果データＤ２を内部メモリ１３に記録させる。
【００５３】
一方、測定データ回収装置２は、ハードディスクドライブ２１、内部時計２２、内部メモリ２３、通信部２４、外部メモリ装着部２５、操作部２６、表示部２７および制御部２８を備えている。ハードディスクドライブ２１は、「記録部」の一例であって、後述するようにして、測定データ記録装置１から送信された測定データＤ１および補正処理結果データＤ２に基づいて制御部２８によって生成された測定データＤ１０（測定データ記録装置１から回収した「測定データＤ１の測定値」を整理して測定時刻に対応付けたデータ）を記録する。内部時計２２は、現在時刻を計時して時刻データＤｔ２を出力する。内部メモリ２３は、測定データ記録装置１から送信された測定データＤ１および補正処理結果データＤ２や、制御部２８の演算結果を一時的に記憶する。
【００５４】
通信部２４は、後述するようにして、制御部２８の制御に従って記録条件データＤｓ０、時刻補正データＤｔ０および送信要求信号Ｓなどを測定データ記録装置１に送信すると共に、測定データ記録装置１から送信された測定データＤ１や補正処理結果データＤ２を受信して制御部２８に転送する。外部メモリ装着部２５は、測定データ記録装置１の外部メモリ装着部１５と同様にして、既存のメモリカードＭ（リムーバブルメモリ）を装着可能に構成されると共に、制御部２８の制御に従い、装着されたメモリカードＭに対する各種記録データの記録および読み出しを実行する。操作部２６は、キーボードと、マウスなどのポインティングデバイスで構成されて、これらの操作に応じた操作信号を制御部２８に出力する。表示部２７は、一例として液晶表示パネルを備え、制御部２８の制御に従って各種表示画面を表示する。
【００５５】
制御部２８は、測定データ回収装置２を総括的に制御する。具体的には、制御部２８は、後述するようにして、測定データ記録装置１に実行させるべき記録処理の条件を特定可能な記録条件データＤｓ０を操作部２６の操作内容に応じて生成する。また、制御部２８は、内部時計２２から取得した時刻データＤｔ２に基づき、測定データ記録装置１の内部時計１２の時刻を補正するための時刻補正データＤｔ０を生成する。さらに、制御部２８は、通信部２４を制御して、記録条件データＤｓ０、時刻補正データＤｔ０および送信要求信号Ｓなどを測定データ記録装置１に送信させる。また、制御部２８は、測定データ記録装置１から送信された（通信部２４によって受信された）測定データＤ１および補正処理結果データＤ２に基づいて測定データＤ１０を生成してハードディスクドライブ２１に記録させる（測定データＤ１の回収）。この場合、測定データ回収装置２は、一例として携帯型のパーソナルコンピュータで構成されている。なお、測定データ回収装置２に代えて、専用の測定データ回収装置（パーソナルコンピュータ等の汎用の装置を利用しない構成）を採用して測定データ記録システムを構成することもできる。
【００５６】
この測定データ記録システム１００によって測定対象体の温度を所定時間間隔で測定して記録する（記録処理を実行させる）際には、まず、測定データ記録装置１によって実行させる記録処理の条件（記録条件）を設定する。具体的には、一例として、測定データ回収装置２の操作部２６を操作して、記録処理の開始時刻、および測定時間間隔を設定する。この際には、一例として、「７：００：００（午前７時）」から「２分間隔」で「６０分間」に亘って複数回の測定処理を実行するように設定する。次いで、記録処理を実行させるべき測定データ記録装置１と測定データ回収装置２とを通信可能状態に接続した後に（測定データ記録装置１の通信部１４と測定データ回収装置２の通信部２４との接続を確立した後に）、測定データ回収装置２の操作部２６を操作して、上記の設定した記録条件を測定データ記録装置１に送信する。この際に、測定データ回収装置２では、制御部２８が、上記の設定された記録条件に基づいて記録条件データＤｓ０を生成すると共に、内部時計２２から取得した時刻データＤｔ２に基づいて時刻補正データＤｔ０を生成し、生成した記録条件データＤｓ０および時刻補正データＤｔ０を通信部２４から測定データ記録装置１に送信させる。
【００５７】
これに応じて、測定データ記録装置１では、制御部１８が、測定データ回収装置２から送信されて通信部１４によって受信された記録条件データＤｓ０および時刻補正データＤｔ０に基づき、実行すべき記録処理の条件を設定すると共に通信部１４の時刻を補正する。この際に、制御部１８は、通信部１４から時刻補正データＤｔ０が転送されたときに、時刻補正処理を開始して、内部時計１２の時刻を時刻補正データＤｔ０に対応する時刻に補正する。これにより、図７，９に示すように、測定データ記録装置１における内部時計１２の時刻が測定データ回収装置２における内部時計２２の時刻（この例では、正確な現在時刻）と一致させられて、一例として、「６：５９：００」に補正される。
【００５８】
なお、図７を参照しつつ説明する例では、測定データ回収装置２における内部時計２２の時刻が正確な現在時刻と一致した状態（または、内部時計２２の狂いが極く小さな状態）となっており、測定データ記録装置１における内部時計１２に遅れが生じる傾向があるものとする。また、図９を参照しつつ説明する例では、測定データ回収装置２における内部時計２２の時刻が正確な現在時刻と一致した（または、内部時計２２の狂いが極く小さな状態）となっており、測定データ記録装置１における内部時計１２に進みが生じる傾向があるものとする。この場合、上記の２つの例では、本発明についての理解を容易とするために、実際の測定データ記録装置１において生じる時刻の狂いを誇張して、大きな狂いが生じるものとして説明する。具体的には、図７の例では、測定データ記録装置１に７５秒当り１５秒の遅れが生じ、図９の例では、測定データ記録装置１に４５秒当り１５秒の進みが生じるものとする。
【００５９】
次いで、測定データ回収装置２に対する測定データ記録装置１の接続を解除した後に、操作部１６のスタート／ストップスイッチを操作して記録処理を開始させる。これに応じて、制御部１８が、図５に示すように、一例として、測定データＤ１のヘッダ情報の一部として、記録処理の開始時刻（この例では、「ＹＹＹＹ年ＭＭ月ＤＤ日の７：００：００」）を特定可能な情報（第１の情報）と、測定処理の時間間隔（この例では、「００：０２：００（２分）」）を特定可能な情報（第２の情報）とを生成して、この測定データＤ１を内部メモリ１３に記録させる。同時に、制御部１８は、内部時計１２から出力される時刻データＤｔ１に基づいて現在時刻を特定して「７：００：００」が到来したか否かの監視を開始する。
【００６０】
また、「７：００：００」が到来したときには、制御部１８は、測定部１１を制御して１回目の測定処理を実行させる。この際に、測定部１１は、温度センサに接続された一対の信号ケーブル間の電圧値）を測定して測定データＤ０として出力する。また、制御部１８は、測定部１１から出力された測定データＤ０に基づいて測定データ記録装置１の周囲（温度センサの周囲）の温度を演算し、図５に示すように、演算結果（測定値：この例では「２０．１℃」）を内部メモリ１３内の測定データＤ１の第１レコードに追記する（１回目の測定処理の完了）。
【００６１】
次いで、制御部１８は、内部時計１２から出力される時刻データＤｔ１に基づいて現在時刻を特定して次の測定処理の実行時刻（この例では、「７：０２：００」）の到来を監視する。また、「７：０２：００」が到来したときには、制御部１８は、測定部１１を制御して２回目の測定処理を実行させる。これにより、１回目の測定処理時と同様にして測定部１１から出力された測定データＤ０に基づいて制御部１８によって周囲の温度が演算され、図５に示すように、演算結果（測定値：この例では「２０．５℃」）が内部メモリ１３内の測定データＤ１の第２レコードに追記される（２回目の測定処理の完了）。この後、３回目以降の測定処理についても、１回目および２回目の測定処理時と同様にして、演算結果（測定値）が内部メモリ１３内の測定データＤ１の第３レコード以降に順次追記される。
【００６２】
一方、この測定データ記録システム１００では、測定データ記録装置１による上記の記録処理の実行中に、その内部時計１２の時刻を測定データ回収装置２の内部時計２２の時刻に合わせるようにして補正することが可能となっている。具体的には、時刻補正すべき測定データ記録装置１と測定データ回収装置２とを通信可能状態に接続した後に、測定データ回収装置２の操作部２６を操作して、時刻補正の開始を指示する。この際に、測定データ回収装置２の制御部２８は、内部時計２２から出力された時刻データＤｔ２に基づいて時刻補正データＤｔ０を生成すると共に、通信部２４を制御して時刻補正データＤｔ０を測定データ記録装置１に送信させる。
【００６３】
また、測定データ記録装置１の制御部１８は、測定データ回収装置２から送信された時刻補正データＤｔ０が通信部１４によって受信されたときに、時刻補正処理を開始する。この時刻補正処理では、制御部１８は、時刻補正処理の開始時点における内部時計１２の時刻（時刻補正処理の実行前に記録した測定データを特定可能な第３の情報）と、時刻補正処理の完了後に測定部１１に対して最初に実行させる測定処理の測定値の測定時刻（時刻補正処理の完了後に最初に記録した測定データの測定時刻を特定可能な第４の情報）とを第１レコード（図６，８において「００１」との数値を付して示した記録領域）に記録した補正処理結果データＤ２を生成して内部メモリ１３に記録させる。次いで、制御部１８は、内部時計１２の時刻を時刻補正データＤｔ０に対応する時刻に補正し、この時刻補正処理を終了する。これにより、内部時計１２の時刻が測定データ回収装置２における内部時計２２の時刻と同期されるようにして補正される。
【００６４】
この後、制御部１８は、補正後の内部時計１２から取得した時刻データＤｔ１に基づいて現在時刻を特定して次の測定処理の実行時刻の到来を監視すると共に、予定された測定時刻が到来したときには、測定部１１を制御して測定処理を実行させる。また、制御部１８は、記録処理の開始時刻から６０分が経過した時点において最後の測定処理を測定部１１に実行させ、測定データＤ０に基づいて演算した温度（測定値）を測定データＤ１に追記して記録処理を終了する。なお、上記の例では、測定データＤ１の記録処理中に時刻補正処理を実行しているが、記録処理中に測定データ回収装置２から時刻補正データＤｔ０が送信されなかったとき（時刻補正処理を実行しなかったとき）には、上記の補正処理結果データＤ２が生成されることなく、記録処理が終了する。したがって、この測定データ記録システム１００では、内部メモリ１３内に補正処理結果データＤ２が存在するときには、記録処理中に時刻補正処理が実行されたこととなり、内部メモリ１３内に補正処理結果データＤ２が存在しないときには、記録処理中に時刻補正処理が実行されなかったこととなる。
【００６５】
一方、この測定データ記録システム１００では、測定データ記録装置１による測定データＤ１の記録処理中、または、測定データＤ１の記録処理が完了した時点の任意の時点において、測定データ記録装置１の内部メモリ１３に記録されている測定データＤ１を測定データ回収装置２によって回収することが可能となっている。具体的には、測定データ記録装置１から測定データ回収装置２に測定データＤ１を回収する際には、まず、測定データ記録装置１と測定データ回収装置２とを通信可能状態に接続する。次いで、測定データ回収装置２の操作部２６を操作して測定データ回収処理５０（図２参照）を開始する。
【００６６】
この測定データ回収処理５０では、制御部２８は、まず、通信部２４を制御して測定データ記録装置１に送信要求信号Ｓを送信させて、測定データＤ１や補正処理結果データＤ２を取得する（ステップ５１）。具体的には、送信要求信号Ｓが送信されたときに、測定データ記録装置１の制御部１８が、内部メモリ１３から測定データＤ１および補正処理結果データＤ２を読み出して通信部１４から測定データ回収装置２に送信させる。この際に、上記したように補正処理結果データＤ２が内部メモリ１３に記録されていないとき（測定データ記録装置１において測定データＤ１の記録処理中に時刻補正処理が実行されなかったとき）には、制御部１８は、測定データＤ１だけを測定データ回収装置２に送信させる。
【００６７】
また、測定データ回収装置２では、制御部２８が、通信部２４によって受信された測定データＤ１や補正処理結果データＤ２を内部メモリ２３に記憶させた後に、測定データ記録装置１から補正処理結果データＤ２が送信されたか否かに基づき、測定データ記録装置１において測定データＤ１の記録処理中に時刻補正処理が実行されたか否かを判別する（ステップ５２）。この際に、制御部２８は、補正処理結果データＤ２が存在しなかったときに、測定データ記録装置１において測定データＤ１の記録処理中に時刻補正処理が実行されなかったと判別し、測定データＤ１のヘッダ情報の一部として記録されている記録処理の開始時刻（この例では、「ＹＹＹＹ年ＭＭ月ＤＤ日の７：００：００」）と、測定処理の時間間隔（この例では、「００：０２：００（２分）」）とに基づき、測定データ回収装置２から送信された測定データＤ１における各レコードの測定値の測定時刻（その測定値が測定された測定処理の実行時刻）をそれぞれ特定する（ステップ５３）。
【００６８】
次いで、制御部２８は、測定データＤ１の各測定値を、上記の特定した測定時刻に関連付けて、第１レコードから順に記録した測定データＤ１０を生成し、生成した測定データＤ１０をハードディスクドライブ２１に記録して（ステップ５４）、この測定データ回収処理５０を終了する。これにより、測定データ記録装置１から取得した測定データＤ１の各測定値が、各測定処理の実行時刻順に並んだ測定データＤ１０がハードディスクドライブ２１内に記録され、測定データ記録装置１からの測定データＤ１の回収が完了する。
【００６９】
一方、例えば、測定データ記録装置１において測定データＤ１の記録処理中に時刻補正処理が実行されて内部時計１２が補正された状態において測定データ回収処理５０が開始されたときには、制御部２８は、測定データ記録装置１から補正処理結果データＤ２が送信されたことに基づき、この補正処理結果データＤ２と共に送信された測定データＤ１の記録処理中に時刻補正処理が実行されたと判別する（ステップ５２）。この際に、制御部２８は、送信された補正処理結果データＤ２に基づき、記録処理中に実行された時刻補正処理の実行回数（Ｎ）が２回以上であるかを判別する（ステップ５５）。具体的には、制御部２８は、補正処理結果データＤ２内の時刻情報が記録されているレコード数、すなわち、時刻補正処理の開始時点における内部時計１２の時刻を特定可能な情報（第３の情報）の記録数、または時刻補正処理の完了後に最初に実行された測定処理の測定値の測定時刻を特定可能なる情報（第４の情報）の記録数に基づき、記録処理中に実行された時刻補正処理の実行回数を特定する（第３の情報および第４の情報の双方の数に基づいて時刻補正処理の実行回数を特定する構成の例）。
【００７０】
より具体的には、図６に示す補正処理結果データＤ２が測定データ記録装置１から送信された場合には、制御部２８は、補正処理結果データＤ２内の第１レコードから第３レコードの３つのレコード（図６において「００１」、「００２」および「００３」との数値を付して示した記録領域）に時刻情報（第３の情報および第４の情報）が記録されていることに基づき、測定データＤ１の記録処理中にＮ＝３回の時刻補正処理が実行されたと特定する。この際に、制御部２８は、図３に示す測定時刻特定処理６０を開始する。この測定時刻特定処理６０では、制御部２８は、まず、測定データＤ１のヘッダ情報の一部として記録されている記録処理の開始時刻（記録処理の開始時刻を特定可能な第１の情報）および測定時間間隔（設定された時間間隔を特定可能な第２の情報）と、補正処理結果データＤ２における第１レコードの時刻情報（１回目の時刻補正処理の開始時点における内部時計１２の時刻を特定可能な情報：時刻補正処理の実行前に記録した測定値を特定可能な第３の情報）とに基づいて、記録処理の開始時刻と１回目の時刻補正処理との間において測定された測定値を特定する（ステップ６１）。
【００７１】
この場合、図５に示す測定データＤ１、および図６に示す補正処理結果データＤ２の例では、測定データＤ１の記録処理の開始時刻が「７：００：００」で、１回目の時刻補正処理が実行された「７：１５：００」まで「２分間隔」で測定処理が実行されている。このため、この例では、図７に示すように、「７：００：００」から「７：１４：００」まで８回に亘る測定処理が実行されている。したがって、制御部２８は、測定データＤ１における第１レコードから第８レコードまでの８つの測定値が該当すると特定する。次いで、制御部２８は、特定した測定値の数がＬ＝２以上であるか否か（特定した測定値の数が複数個であるか否か）を判別する（ステップ６２）。この際に、本例とは相違するが、特定した測定値の数がＬ＝２未満（すなわち、１個）であると判別したときには、制御部２８は、その１個の測定値の測定時刻として、開始時刻（第１の情報）、および第１回目の時刻補正処理後に最初に記録した測定値の測定時刻（第４の情報）に基づいて特定される測定時刻のいずれを採用するかを問い合わせる（ステップ６３）。
【００７２】
具体的には、一例として、いずれの測定時刻を採用するかを問い合わせるメッセージを表示部２７に表示させる。この際に、操作部２６の操作によって利用者が開始時刻を選択したときには、制御部２８は、開始時刻（一例として、「７：００：００」）が、その測定値の測定時刻であると特定して（ステップ６４）、この測定時刻特定処理６０を終了する。また、第１回目の時刻補正処理後に最初に記録した測定値の測定時刻に基づいて特定される測定時刻が選択されたときには、制御部２８は、最初に記録した測定値の測定時刻（一例として、「７：０４：００」）から測定時間間隔（この例では、「２分」）を差し引いた時刻（この例では、「７：０２：００」）がその測定値の測定時刻であると特定して（ステップ６４）、この測定時刻特定処理６０を終了する。
【００７３】
一方、図７に示すこの例では、制御部２８は、特定した測定値の数がＬ＝２以上（複数個）であると判別し（ステップ６２）、続いて、その特定した測定値の数（Ｌ）が偶数個であるか否かを判別する（ステップ６５）。この際に、制御部２８は、特定した測定値の数（Ｌ）が偶数個であると判別し、Ｌ＝８個の測定値のうちの最初に記録された測定値に続いて記録されたＫａ個（一例として、Ｋａ＝８／２＝４個：「（Ｌ−１）以下の自然数」の一例である「（Ｌ／２）以下の自然数」の一例：この例では、Ｌ＝８の半分の数）の測定値に対応付ける測定時刻を、開始時刻（第１の情報）および測定時間間隔（第２の情報）に基づいて特定し、かつ、Ｌ＝８個の測定値のうちの第１回目の時刻補正処理の実行前に記録された最新のＫｂ個（一例として、Ｋｂ＝８／２＝４個：「（Ｌ−Ｋａ）以下の自然数）」の一例である「（Ｌ／２）以下の自然数」の一例：この例では、Ｌ＝８の半分の数）の測定値に対応付ける測定時刻を、第１回目の時刻補正処理の完了後に最初に記録された測定値の測定時刻（第４の情報に基づいて特定される測定時刻）および測定時間間隔（第２の情報）に基づいて特定して（ステップ６６）、この測定時刻特定処理６０を終了する。
【００７４】
具体的には、図７に示すように、制御部２８は、上記のＫａ＝４個の測定値、すなわち、測定データＤ１における第１レコードから第４レコードまでの４個の測定値（第１回目から第４回目までの４回の測定処理によって測定された測定値）に対応付ける測定時刻については、開始時刻（この例では、「７：００：００」）および測定時間間隔（この例では、「２分」）に基づき、「７：００：００」から「７：０６：００」の４つの時刻が測定時刻であると特定する。また、制御部２８は、上記のＫｂ＝４個の測定値、すなわち、測定データＤ１における第５レコードから第８レコードまでの４個の測定値（第５回目から第８回目までの４回の測定処理によって測定された測定値）に対応付ける測定時刻については、第１回目の時刻補正処理の完了後に最初に記録された測定値の測定時刻（この例では、「７：２０：００」）および測定時間間隔（この例では、「２分」）に基づき、「７：１２：００」から「７：１８：００」の４つの時刻が測定時刻であると特定する。
【００７５】
この場合、出願人が開示している記録システムにおける回収装置のように、第１回目の時刻補正処理の実行前に測定された測定値の測定時刻を、開始時刻および測定時間間隔に基づいて特定する構成の場合には、測定データＤ１における第１レコードから第８レコードまでの８個の測定値（第１回目から第８回目までの８回の測定処理によって測定された測定値）に対応付ける測定時刻は、「７：００：００」から「７：１４：００」の８つの時刻、すなわち、各測定値の測定処理が実行された時点における測定データ記録装置１の内部時計の時刻となる。したがって、７５秒当りに１５秒の遅れが測定データ記録装置１に生じているこの例の測定データＤ１および補正処理結果データＤ２を、出願人が開示している記録システムにおける回収装置によって回収したときには、図７に示すように、後の測定処理の実行時ほど記録装置における内部時計の狂い（この例では、遅れ）が大きくなるため、Ｌ＝８個目の測定値（第８回目の測定処理によって測定された測定値）に対応付けられる測定時刻（同図における「記録装置の内部時計」の時刻）と、この測定値の実際の測定時刻（同図における「回収装置の内部時計」の時刻）との時間差（同図における「内部時計の時間差」）が「３分４５秒」となる。
【００７６】
これに対して、Ｌ＝８個の測定値のうちの上記のＫａ個の測定値については開始時刻に基づいて測定時刻を特定し、Ｌ＝８個の測定値のうちの上記のＫｂ個の測定値については時刻補正処理後の最初の測定処理の測定値の測定時刻に基づいて測定時刻を特定するこの測定データ回収装置２では、測定データ記録装置１における内部時計１２の狂い（この例では、遅れ）が大きくなるＬ＝８個目の測定値（時刻補正処理の直前に測定された測定値）を含むＫｂ個の測定値の測定時刻が、７５秒当り１５秒の遅れが補正された正しい時刻に基づいて特定される。したがって、この例の測定データＤ１および補正処理結果データＤ２を測定データ回収装置２によって回収したときには、図７に示すように、各測定値に対応付けられる測定時刻と、この測定値の実際の測定時刻（同図における「回収装置の内部時計」の時刻）との時間差が最大で「１分４５秒」となる。
【００７７】
なお、Ｌ＝８個の本例とは相違するが、特定した測定値の数（Ｌ）が奇数個であると判別したときには（一例として、Ｌ＝５個と特定したとき：ステップ６５）、制御部２８は、まず、各測定値のうちの最初に記録された測定値に続いて記録されたＫａ個（一例として、Ｋａ＝（５−１）／２＝２個：「（Ｌ−１）以下の自然数」の一例である「（Ｌ／２）以下の自然数」の他の一例：この例では、Ｌ＝５の半分の数以下で、Ｌ＝５の半分の数に最も近い自然数）の測定値に対応付ける測定時刻を、開始時刻（第１の情報）および測定時間間隔（第２の情報）に基づいて特定し、Ｌ＝５個の測定値のうちの第１回目の時刻補正処理の実行前に記録された最新のＫｂ個（一例として、Ｋｂ＝（５−１）／２＝２個：「（Ｌ−Ｋａ）以下の自然数）」の一例である「（Ｌ／２）以下の自然数」の他の一例：この例では、Ｌ＝５の半分の数以下で、Ｌ＝５の半分の数に最も近い自然数）の測定値に対応付ける測定時刻を、第１回目の時刻補正処理の完了後に最初に記録された測定値の測定時刻（第４の情報に基づいて特定される測定時刻）および測定時間間隔（第２の情報）に基づいて特定する（ステップ６７）。
【００７８】
次いで、制御部２８は、開始時刻と、第１回目の時刻補正処理との中間において測定された測定値（「Ｋｃ個の測定データ」の一例）の測定時刻として、開始時刻（第１の情報）および測定時間間隔（第２の情報）に基づいて特定した測定時刻（「Ｋａ個の測定データに対応付ける測定時刻と同様にして特定した測定時刻」の一例）と、第１回目の時刻補正処理の完了後に最初に記録された測定値の測定時刻（第４の情報に基づいて特定される測定時刻）および測定時間間隔（第２の情報）に基づいて特定される測定時刻（「Ｋｂ個の測定データに対応付ける測定時刻と同様にして特定した測定時刻」の一例）とのいずれを採用するかを問い合わせる（ステップ６８）。具体的には、一例として、いずれの測定時刻を採用するかを問い合わせるメッセージを表示部２７に表示させる。この際に、操作部２６の操作によって利用者が開始時刻に基づいて特定される測定時刻を選択したときには、制御部２８は、上記のＫａ個の測定値の測定時刻と同様の手順に従って測定時刻を特定して（ステップ６９）、この測定時刻特定処理６０を終了する。また、第１回目の時刻補正処理の完了後に最初に記録された測定値の測定時刻に基づいて特定される測定時刻を選択したときには、制御部２８は、上記のＫｂ個の測定値の測定時刻と同様の手順に従って測定時刻を特定して（ステップ６９）、この測定時刻特定処理６０を終了する。
【００７９】
一方、図５〜７に示すこの例において、上記の測定時刻特定処理６０によって、記録処理の開始時刻と１回目の時刻補正処理との間において測定された測定値の測定時刻の特定が完了したときに、制御部２８は、図４に示す測定時刻特定処理７０を開始する。この測定時刻特定処理７０では、制御部２８は、まず、測定データＤ１のヘッダ情報の一部として記録されている記録処理の開始時刻（第１の情報）および測定時間間隔（第２の情報）と、補正処理結果データＤ２における第１レコードの時刻情報（１回目の時刻補正処理の開始時点における内部時計１２の時刻を特定可能な情報（第３の情報））と、補正処理結果データＤ２における第２レコードの時刻情報（２回目の時刻補正処理の開始時点における内部時計１２の時刻を特定可能な情報（第３の情報））とに基づいて、Ｍ＝１回目の時刻補正処理と、Ｍ＋１＝２回目の時刻補正処理との間において測定された測定値を特定する（ステップ７１）。
【００８０】
この場合、図５に示す測定データＤ１、および図６に示す補正処理結果データＤ２の例では、Ｍ＝１回目の時刻補正処理の後に最初に記録された測定値の測定時刻が「７：２０：００」で、Ｍ＋１＝２回目の時刻補正処理が実行された「７：３５：００」まで「２分間隔」で測定処理が実行されている。このため、この例では、図７に示すように、「７：２０：００」から「７：３４：００」まで８回に亘る測定処理が実行されている。したがって、制御部２８は、測定データＤ１における第９レコードから第１６レコードまでの８つの測定値が該当すると特定する。次いで、制御部２８は、特定した測定値の数がＬ＝２以上であるか否か（特定した測定値の数が複数個であるか否か）を判別する（ステップ７２）。この際に、本例とは相違するが、特定した測定値の数がＬ＝２未満（すなわち、１個）であると判別したときには、制御部２８は、その１個の測定値の測定時刻として、Ｍ＝１回目の時刻補正処理の後に最初に記録された測定値の測定時刻、およびＭ＋１＝２回目の時刻補正処理の後に最初に記録された測定値の測定時刻に基づいて特定される測定時刻のいずれを採用するかを問い合わせる（ステップ７３）。
【００８１】
具体的には、一例として、いずれの測定時刻を採用するかを問い合わせるメッセージを表示部２７に表示させる。この際に、操作部２６の操作によって利用者が、Ｍ＝１回目の時刻補正処理の後に最初に記録された測定値の測定時刻を選択したときには、制御部２８は、補正処理結果データＤ２における第１レコードに記録されている測定時刻が、その測定値の測定時刻であると特定して（ステップ７４）、この測定時刻特定処理７０を終了する。また、Ｍ＋１＝２回目の時刻補正処理後に最初に記録した測定値の測定時刻に基づいて特定される測定時刻が選択されたときには、制御部２８は、最初に記録した測定値の測定時刻から測定時間間隔（この例では、「２分」）を差し引いた時刻が、その測定値の測定時刻であると特定して（ステップ７４）、この測定時刻特定処理７０を終了する。
【００８２】
一方、図７に示すこの例では、制御部２８は、特定した測定値の数がＬ＝２以上（複数個）であると判別し（ステップ７２）、続いて、その特定した測定値の数（Ｌ）が偶数個であるか否かを判別する（ステップ７５）。この際に、制御部２８は、特定した測定値の数（Ｌ）が偶数個であると判別し、Ｌ＝８個の測定値のうちの最初に記録された測定値に続いて記録されたＫａ個（この例では、Ｋａ＝８／２＝４個）の測定値に対応付ける測定時刻を、Ｍ＝１回目の時刻補正処理後に最初に記録された測定値の測定時刻（Ｍ＝１回目の時刻補正処理によって記録された補正処理結果：第４の情報に基づいて特定される測定時刻）および測定時間間隔（第２の情報）に基づいて特定し、Ｌ＝８個の測定値のうちのＭ＋１＝２回目の時刻補正処理の実行前に記録された最新のＫｂ個（この例では、Ｋｂ＝８／２＝４個）の測定値に対応付ける測定時刻を、Ｍ＋１＝２回目の時刻補正処理の完了後に最初に記録された測定値の測定時刻（Ｍ＋１＝２回目の時刻補正処理によって記録された補正処理結果：第４の情報に基づいて特定される測定時刻）および測定時間間隔（第２の情報）に基づいて特定して（ステップ７６）、この測定時刻特定処理７０を終了する。
【００８３】
具体的には、図７に示すように、制御部２８は、上記のＫａ＝４個の測定値、すなわち、測定データＤ１における第９レコードから第１２レコードまでの４個の測定値（第９回目から第１２回目までの４回の測定処理によって測定された測定値）に対応付ける測定時刻については、Ｍ＝１回目の時刻補正処理後に最初に記録された測定値の測定時刻（この例では、「７：２０：００」）および測定時間間隔（この例では、「２分」）に基づき、「７：２０：００」から「７：２６：００」の４つの時刻が測定時刻であると特定する。また、制御部２８は、上記のＫｂ＝４個の測定値、すなわち、測定データＤ１における第１３レコードから第１６レコードまでの４個の測定値（第１３回目から第１６回目までの４回の測定処理によって測定された測定値）に対応付ける測定時刻については、Ｍ＋１＝２回目の時刻補正処理の完了後に最初に記録された測定値の測定時刻（この例では、「７：４０：００」）および測定時間間隔（この例では、「２分」）に基づき、「７：３２：００」から「７：３８：００」の４つの時刻が測定時刻であると特定する。
【００８４】
この場合、出願人が開示している記録システムにおける回収装置のように、Ｍ＝１回目の時刻補正処理の後に測定された測定値の測定時刻を、Ｍ＝１回目の時刻補正処理後に最初に記録された測定値の測定時刻、および測定時間間隔に基づいて特定する構成の場合には、測定データＤ１における第９レコードから第１６レコードまでの８個の測定値（第９回目から第１６回目までの８回の測定処理によって測定された測定値）に対応付ける測定時刻は、「７：２０：００」から「７：３４：００」の８つの時刻、すなわち、各測定値の測定処理が実行された時点における測定データ記録装置１の内部時計の時刻となる。したがって、７５秒当りに１５秒の遅れが測定データ記録装置１に生じているこの例の測定データＤ１および補正処理結果データＤ２を、出願人が開示している記録システムにおける回収装置によって回収したときには、図７に示すように、後の測定処理の実行時ほど記録装置における内部時計の狂い（この例では、遅れ）が大きくなるため、Ｌ＝８個目の測定値（第１６回目の測定処理によって測定された測定値）に対応付けられる測定時刻（同図における「記録装置の内部時計」の時刻）と、この測定値の実際の測定時刻（同図における「回収装置の内部時計」の時刻）との時間差（同図における「内部時計の時間差」）が「３分４５秒」となる。
【００８５】
これに対して、Ｌ＝８個の測定値のうちの上記のＫａ個の測定値については、Ｍ＝１回目の時刻補正処理後に最初に記録された測定値の測定時刻に基づいて測定時刻を特定し、Ｌ＝８個の測定値のうちの上記のＫｂ個の測定値については、Ｍ＋１＝２回目の時刻補正処理後の最初の測定処理の測定値の測定時刻に基づいて測定時刻を特定するこの測定データ回収装置２では、測定データ記録装置１における内部時計１２の狂い（この例では、遅れ）が大きくなるＬ＝８個目の測定値（Ｍ＋１＝２回目の時刻補正処理の直前に測定された測定値）を含むＫｂ個の測定値の測定時刻が、Ｍ＝１回目の時刻補正処理後に生じる７５秒当り１５秒の遅れが補正された正しい時刻に基づいて特定される。したがって、この例の測定データＤ１および補正処理結果データＤ２を測定データ回収装置２によって回収したときには、図７に示すように、各測定値に対応付けられる測定時刻と、この測定値の実際の測定時刻（同図における「回収装置の内部時計」の時刻）との時間差が最大で「１分４５秒」となる。
【００８６】
なお、Ｌ＝８個の本例とは相違するが、特定した測定値の数（Ｌ）が奇数個であると判別したときには（一例として、Ｌ＝５個と特定したとき：ステップ７５）、制御部２８は、まず、各測定値のうちのＭ＝１回目の時刻補正処理の実行前に最初に記録された測定値に続いて記録されたＫａ個（この例では、Ｋａ＝２個）の測定値に対応付ける測定時刻を、Ｍ＝１回目の時刻補正処理の完了後に最初に記録された測定値の測定時刻（第４の情報に基づいて特定される測定時刻）および測定時間間隔（第２の情報）に基づいて特定し、Ｌ＝５個の測定値のうちのＭ＋１＝２回目の時刻補正処理の実行前に記録された最新のＫｂ個（この例では、Ｋｂ＝２個）の測定値に対応付ける測定時刻を、Ｍ＋１＝２回目の時刻補正処理の完了後に最初に記録された測定値の測定時刻（第４の情報に基づいて特定される測定時刻）および測定時間間隔（第２の情報）に基づいて特定する（ステップ７７）。
【００８７】
次いで、制御部２８は、Ｍ＝１回目の時刻補正処理と、Ｍ＋１＝２回目の時刻補正処理との中間において測定された測定値（「Ｋｃ個の測定データ」の一例）の測定時刻として、Ｍ＝１回目の時刻補正処理の完了後に最初に記録された測定値の測定時刻（第４の情報に基づいて特定される測定時刻）および測定時間間隔（第２の情報）に基づいて特定される測定時刻（「Ｋａ個の測定データに対応付ける測定時刻と同様にして特定した測定時刻」の一例）と、Ｍ＋１＝２回目の時刻補正処理の完了後に最初に記録された測定値の測定時刻（第４の情報に基づいて特定される測定時刻）および測定時間間隔（第２の情報）に基づいて特定される測定時刻（「Ｋｂ個の測定データに対応付ける測定時刻と同様にして特定した測定時刻」の一例）とのいずれを採用するかを問い合わせる（ステップ７８）。具体的には、一例として、いずれの測定時刻を採用するかを問い合わせるメッセージを表示部２７に表示させる。
【００８８】
この際に、操作部２６の操作によって利用者がＭ＝１回目の時刻補正処理の完了後に最初に記録された測定値の測定時刻に基づいて特定される測定時刻を選択したときには、制御部２８は、上記のＫａ個の測定値の測定時刻と同様の手順に従って測定時刻を特定して（ステップ７９）、この測定時刻特定処理７０を終了する。また、Ｍ＋１＝２回目の時刻補正処理の完了後に最初に記録された測定値の測定時刻に基づいて特定される測定時刻を選択したときには、制御部２８は、上記のＫｂ個の測定値の測定時刻と同様の手順に従って測定時刻を特定して（ステップ７９）、この測定時刻特定処理７０を終了する。
【００８９】
一方、図５〜７に示すこの例において、上記の測定時刻特定処理７０によって、Ｍ＝１回目の時刻補正処理と、Ｍ＋１＝２回目の時刻補正処理との間において測定された測定値の測定時刻の特定が完了したときに、制御部２８は、Ｎ回目（この例では、Ｎ＝３回目）の時刻補正処理前に測定されたすべての測定値に関する測定時刻の特定が完了したか否かを判別する（ステップ５６）。この際には、Ｍ＝２回目の時刻補正処理と、Ｍ＋１＝３回目の時刻補正処理との間において測定された測定値の測定時刻の特定が完了していないと判別し、制御部２８は、上記の測定時刻特定処理７０を実行して、Ｍ＝２回目の時刻補正処理と、Ｍ＋１＝３回目の時刻補正処理との間において測定された測定値の測定時刻をそれぞれ特定する。
【００９０】
また、上記の測定時刻特定処理７０によって、Ｎ＝３回目の時刻補正処理前に測定されたすべての測定値に関する測定時刻の特定が完了したと判別したときに（ステップ５６）、制御部２８は、Ｎ＝３回目の時刻補正処理後に記録された各測定値の測定時刻をそれぞれ特定する（ステップ５７）。具体的には、制御部２８は、Ｎ＝３回目の時刻補正処理後に最初に記録された測定値の測定時刻（この例では、「７：５２：００」：第４の情報）、および測定時間間隔（この例では、「２分」：第２の情報）とに基づき、測定データＤ１における第２２レコード以降のすべての測定値（第２２回測定処理以降の測定処理によって測定された測定値）についての測定時刻を、「７：５２：００」から「２分間隔」でそれぞれ特定する。
【００９１】
次いで、制御部２８は、上記の一連の処理によって特定した各測定値の測定時刻に重複が生じているか否かを判別し（ステップ５８）、この例では、重複が生じていないため、制御部２８は、特定した各測定時刻を各測定値にそれぞれ対応付けて各レコードに記録した測定データＤ１０を生成し、生成した測定データＤ１０をハードディスクドライブ２１に記録して（ステップ５４）、この測定データ回収処理５０を終了する。これにより、測定データ記録装置１から取得した測定データＤ１内の各測定値が、各測定処理の実行時刻順に並んだ測定データＤ１０がハードディスクドライブ２１内に記録され、測定データ記録装置１からの測定データＤ１の回収が完了する。
【００９２】
一方、測定データ記録装置１に７５秒当り１５秒の遅れが生じた例について説明したが、この測定データ回収装置２では、測定データ記録装置１に進みが生じた場合においても、上記の例と同様にして、回収した測定データＤ１（測定値）に対応付けられる測定時刻と、その測定値の実際の測定時刻との差異が十分に小さくなる。具体的には、一例として、図９に示すように、測定データ記録装置１に４５秒当り１５秒の進みが生じた場合には、図５に示す測定データＤ１と共に、図８に示す補正処理結果データＤ２が測定データ記録装置１から送信される。
【００９３】
より具体的には、測定データ回収装置２の操作部２６を操作して測定データ回収処理５０を開始したときに、図５に示す測定データＤ１、および図８に示す補正処理結果データＤ２が測定データ記録装置１から送信される（ステップ５１）。次いで、制御部２８は、測定データ記録装置１から補正処理結果データＤ２が送信されたか否かに基づき、測定データ記録装置１において測定データＤ１の記録処理中に時刻補正処理が実行されたか否かを判別する（ステップ５２）。なお、測定データＤ１の記録処理中に時刻補正処理が実行されなかったときの一連の処理については、測定データ記録装置１に遅れが生じていたときの測定データ回収処理５０と同様のため、その説明を省略する。
【００９４】
この際に、制御部２８は、測定データ記録装置１から測定データＤ１と共に補正処理結果データＤ２が送信されたことに基づき、送信された測定データＤ１の記録処理中に時刻補正処理が実行されたと判別する。また、制御部２８は、送信された補正処理結果データＤ２に基づき、記録処理中に実行された時刻補正処理の実行回数（Ｎ）が２回以上であるかを特定する（ステップ５５）。この際に、制御部２８は、補正処理結果データＤ２（図８参照）内の第１レコードから第３レコードの３つのレコード（図８において「００１」、「００２」および「００３」との数値を付して示した記録領域）に時刻情報（第３の情報および第４の情報）が記録されていることに基づき、測定データＤ１の記録処理中にＮ＝３回の時刻補正処理が実行されたと特定する。
【００９５】
この際に、制御部２８は、図３に示す測定時刻特定処理６０を開始する。この測定時刻特定処理６０では、制御部２８は、まず、測定データＤ１のヘッダ情報の一部として記録されている記録処理の開始時刻（記録処理の開始時刻を特定可能な第１の情報）および測定時間間隔（設定された時間間隔を特定可能な第２の情報）と、補正処理結果データＤ２における第１レコードの時刻情報（１回目の時刻補正処理の開始時点における内部時計１２の時刻を特定可能な情報：時刻補正処理の実行前に記録した測定値を特定可能な第３の情報）とに基づいて、記録処理の開始時刻と１回目の時刻補正処理との間において測定された測定値を特定する（ステップ６１）。
【００９６】
この場合、図５に示す測定データＤ１、および図８に示す補正処理結果データＤ２の例では、測定データＤ１の記録処理の開始時刻が「７：００：００」で、１回目の時刻補正処理が実行された時点の「７：１５：００」まで「２分間隔」で測定処理が実行されている。このため、この例では、図９に示すように、「７：００：００」から「７：１４：００」まで８回に亘る測定処理が実行されている。したがって、制御部２８は、測定データＤ１における第１レコードから第８レコードまでの８つの測定値が該当すると特定する。次いで、制御部２８は、特定した測定値の数がＬ＝２以上であるか否か（特定した測定値の数が複数個であるか否か）を判別する（ステップ６２）。なお、特定した測定値の数がＬ＝２未満（すなわち、１個）であると判別したときの一連の処理については、測定データ記録装置１に遅れが生じていたときの測定データ回収処理５０と同様のため、その説明を省略する。
【００９７】
一方、図９に示すこの例では、制御部２８は、特定した測定値の数がＬ＝２以上（複数個）であると判別し（ステップ６２）、続いて、その特定した測定値の数（Ｌ）が偶数個であるか否かを判別する（ステップ６５）。なお、特定した測定値の数（Ｌ）が奇数個であると判別したときの一連の処理については、測定データ記録装置１に遅れが生じていたときの測定データ回収処理５０と同様のため、その説明を省略する。一方、特定した測定値の数（Ｌ）が偶数個であると判別したときには、制御部２８は、Ｌ＝８個の測定値のうちの最初に記録された測定値に続いて記録されたＫａ個（一例として、Ｋａ＝８／２＝４個：「（Ｌ−１）以下の自然数」の一例である「（Ｌ／２）以下の自然数」の他の一例：この例では、Ｌ＝８の半分の数）の測定値に対応付ける測定時刻を、開始時刻（第１の情報）および測定時間間隔（第２の情報）に基づいて特定し、かつ、Ｌ＝８個の測定値のうちの第１回目の時刻補正処理の実行前に記録された最新のＫｂ個（一例として、Ｋｂ＝８／２＝４個：「（Ｌ−Ｋａ）以下の自然数）」の一例である「（Ｌ／２）以下の自然数」の他の一例：この例では、Ｌ＝８の半分の数）の測定値に対応付ける測定時刻を、第１回目の時刻補正処理の完了後に最初に記録された測定値の測定時刻（第４の情報に基づいて特定される測定時刻）および測定時間間隔（第２の情報）に基づいて特定して（ステップ６６）、この測定時刻特定処理６０を終了する。
【００９８】
具体的には、図９に示すように、制御部２８は、上記のＫａ＝４個の測定値、すなわち、測定データＤ１における第１レコードから第４レコードまでの４個の測定値（第１回目から第４回目までの４回の測定処理によって測定された測定値）に対応付ける測定時刻については、開始時刻（この例では、「７：００：００」）および測定時間間隔（この例では、「２分」）に基づき、「７：００：００」から「７：０６：００」の４つの時刻が測定時刻であると特定する。また、制御部２８は、上記のＫｂ＝４個の測定値、すなわち、測定データＤ１における第５レコードから第８レコードまでの４個の測定値（第５回目から第８回目までの４回の測定処理によって測定された測定値）に対応付ける測定時刻については、第１回目の時刻補正処理の完了後に最初に記録された測定値の測定時刻（この例では、「７：１２：００」）および測定時間間隔（この例では、「２分」）に基づき、「７：０４：００」から「７：１０：００」の４つの時刻が測定時刻であると特定する。
【００９９】
この場合、４５秒当りに１５秒の進みが測定データ記録装置１に生じているこの例の測定データＤ１および補正処理結果データＤ２を、出願人が開示している記録システムにおける回収装置によって回収したときには、図９に示すように、後の測定処理の実行時ほど記録装置における内部時計の狂い（この例では、進み）が大きくなるため、Ｌ＝８個目の測定値（第８回目の測定処理によって測定された測定値）に対応付けられる測定時刻（同図における「記録装置の内部時計」の時刻）と、この測定値の実際の測定時刻（同図における「回収装置の内部時計」の時刻）との時間差（同図における「内部時計の時間差」）が「３分４５秒」となる。
【０１００】
これに対して、Ｌ＝８個の測定値のうちの上記のＫａ個の測定値については開始時刻に基づいて測定時刻を特定し、Ｌ＝８個の測定値のうちの上記のＫｂ個の測定値については時刻補正処理後の最初の測定処理の測定値の測定時刻に基づいて測定時刻を特定するこの測定データ回収装置２では、測定データ記録装置１における内部時計１２の狂い（この例では、進み）が大きくなるＬ＝８個目の測定値（時刻補正処理の直前に測定された測定値）を含むＫｂ個の測定値の測定時刻が、４５秒当り１５秒の進みが補正された正しい時刻に基づいて特定される。したがって、この例の測定データＤ１および補正処理結果データＤ２を測定データ回収装置２によって回収したときには、図９に示すように、各測定値に対応付けられる測定時刻と、この測定値の実際の測定時刻（同図における「回収装置の内部時計」の時刻）との時間差が最大で「１分４５秒」となる。
【０１０１】
一方、図５，８，９に示すこの例において、上記の測定時刻特定処理６０によって、記録処理の開始時刻と１回目の時刻補正処理との間において測定された測定値の測定時刻の特定が完了したときに、制御部２８は、図４に示す測定時刻特定処理７０を開始する。この測定時刻特定処理７０では、制御部２８は、まず、測定データＤ１のヘッダ情報の一部として記録されている記録処理の開始時刻（第１の情報）および測定時間間隔（第２の情報）と、補正処理結果データＤ２における第１レコードの時刻情報（１回目の時刻補正処理の開始時点における内部時計１２の時刻を特定可能な情報（第３の情報））と、補正処理結果データＤ２における第２レコードの時刻情報（２回目の時刻補正処理の開始時点における内部時計１２の時刻を特定可能な情報（第３の情報））とに基づいて、Ｍ＝１回目の時刻補正処理と、Ｍ＋１＝２回目の時刻補正処理との間において測定された測定値を特定する（ステップ７１）。
【０１０２】
この場合、図５に示す測定データＤ１、および図８に示す補正処理結果データＤ２の例では、Ｍ＝１回目の時刻補正処理の後に最初に記録された測定値の測定時刻が「７：１２：００」で、Ｍ＋１＝２回目の時刻補正処理が実行された「７：２７：００」まで「２分間隔」で測定処理が実行されている。このため、この例では、図９に示すように、「７：１２：００」から「７：２６：００」まで８回に亘る測定処理が実行されている。したがって、制御部２８は、測定データＤ１における第９レコードから第１６レコードまでの８つの測定値が該当すると特定する。次いで、制御部２８は、特定した測定値の数がＬ＝２以上であるか否か（特定した測定値の数が複数個であるか否か）を判別する（ステップ７２）。なお、特定した測定値の数がＬ＝２未満（すなわち、１個）であると判別したときの一連の処理については、測定データ記録装置１に遅れが生じていたときの測定データ回収処理５０と同様のため、その説明を省略する。
【０１０３】
一方、図９に示すこの例では、制御部２８は、特定した測定値の数がＬ＝２以上（複数個）であると判別し（ステップ７２）、続いて、その特定した測定値の数（Ｌ）が偶数個であるか否かを判別する（ステップ７５）。なお、特定した測定値の数（Ｌ）が奇数個であると判別したときの一連の処理については、測定データ記録装置１に遅れが生じていたときの測定データ回収処理５０と同様のため、その説明を省略する。一方、特定した測定値の数（Ｌ）が偶数個であると判別したときには、制御部２８は、Ｌ＝８個の測定値のうちの最初に記録された測定値に続いて記録されたＫａ個（この例では、Ｋａ＝８／２＝４個）の測定値に対応付ける測定時刻を、Ｍ＝１回目の時刻補正処理後に最初に記録された測定値の測定時刻（Ｍ＝１回目の時刻補正処理によって記録された補正処理結果：第４の情報に基づいて特定される測定時刻）および測定時間間隔（第２の情報）に基づいて特定し、Ｌ＝８個の測定値のうちのＭ＋１＝２回目の時刻補正処理の実行前に記録された最新のＫｂ個（この例では、Ｋｂ＝８／２＝４個）の測定値に対応付ける測定時刻を、Ｍ＋１＝２回目の時刻補正処理の完了後に最初に記録された測定値の測定時刻（Ｍ＋１＝２回目の時刻補正処理によって記録された補正処理結果：第４の情報に基づいて特定される測定時刻）および測定時間間隔（第２の情報）に基づいて特定して（ステップ７６）、この測定時刻特定処理７０を終了する。
【０１０４】
具体的には、図９に示すように、制御部２８は、上記のＫａ＝４個の測定値、すなわち、測定データＤ１における第９レコードから第１２レコードまでの４個の測定値（第９回目から第１２回目までの４回の測定処理によって測定された測定値）に対応付ける測定時刻については、Ｍ＝１回目の時刻補正処理後に最初に記録された測定値の測定時刻（この例では、「７：１２：００」）および測定時間間隔（この例では、「２分」）に基づき、「７：１２：００」から「７：１８：００」の４つの時刻が測定時刻であると特定する。また、制御部２８は、上記のＫｂ＝４個の測定値、すなわち、測定データＤ１における第１３レコードから第１６レコードまでの４個の測定値（第１３回目から第１６回目までの４回の測定処理によって測定された測定値）に対応付ける測定時刻については、Ｍ＋１＝２回目の時刻補正処理の完了後に最初に記録された測定値の測定時刻（この例では、「７：２４：００」）および測定時間間隔（この例では、「２分」）に基づき、「７：１６：００」から「７：２２：００」の４つの時刻が測定時刻であると特定する。
【０１０５】
この場合、４５秒当りに１５秒の進みが測定データ記録装置１に生じているこの例の測定データＤ１および補正処理結果データＤ２を、出願人が開示している記録システムにおける回収装置によって回収したときには、図９に示すように、後の測定処理の実行時ほど記録装置における内部時計の狂い（この例では、進み）が大きくなるため、Ｌ＝８個目の測定値（第１６回目の測定処理によって測定された測定値）に対応付けられる測定時刻（同図における「記録装置の内部時計」の時刻）と、この測定値の実際の測定時刻（同図における「回収装置の内部時計」の時刻）との時間差（同図における「内部時計の時間差」）が「３分４５秒」となる。
【０１０６】
これに対して、Ｌ＝８個の測定値のうちの上記のＫａ個の測定値については、Ｍ＝１回目の時刻補正処理後に最初に記録された測定値の測定時刻に基づいて測定時刻を特定し、Ｌ＝８個の測定値のうちの上記のＫｂ個の測定値については、Ｍ＋１＝２回目の時刻補正処理後の最初の測定処理の測定値の測定時刻に基づいて測定時刻を特定するこの測定データ回収装置２では、測定データ記録装置１における内部時計１２の狂い（この例では、進み）が大きくなるＬ＝８個目の測定値（Ｍ＋１＝２回目の時刻補正処理の直前に測定された測定値）を含むＫｂ個の測定値の測定時刻が、Ｍ＝１回目の時刻補正処理後に生じる４５秒当り１５秒の進みが補正された正しい時刻に基づいて特定される。したがって、この例の測定データＤ１および補正処理結果データＤ２を測定データ回収装置２によって回収したときには、図９に示すように、各測定値に対応付けられる測定時刻と、この測定値の実際の測定時刻（同図における「回収装置の内部時計」の時刻）との時間差が最大で「１分４５秒」となる。
【０１０７】
一方、図５，８，９に示すこの例において、上記の測定時刻特定処理７０によって、Ｍ＝１回目の時刻補正処理と、Ｍ＋１＝２回目の時刻補正処理との間において測定された測定値の測定時刻の特定が完了したときに、制御部２８は、Ｎ回目（この例では、Ｎ＝３回目）の時刻補正処理前に測定されたすべての測定値に関する測定時刻の特定が完了したか否かを判別する（ステップ５６）。この際には、Ｍ＝２回目の時刻補正処理と、Ｍ＋１＝３回目の時刻補正処理との間において測定された測定値の測定時刻の特定が完了していないと判別し、制御部２８は、上記の測定時刻特定処理７０を実行して、Ｍ＝２回目の時刻補正処理と、Ｍ＋１＝３回目の時刻補正処理との間において測定された測定値の測定時刻をそれぞれ特定する。また、上記の測定時刻特定処理７０によって、Ｎ＝３回目の時刻補正処理前に測定されたすべての測定値に関する測定時刻の特定が完了したと判別したときに（ステップ５６）、制御部２８は、Ｎ＝３回目の時刻補正処理後に記録された各測定値の測定時刻をそれぞれ特定する（ステップ５７）。
【０１０８】
次いで、制御部２８は、上記の一連の処理によって特定した各測定値の測定時刻に重複が生じているか否かを判別する（ステップ５８）。この場合、図９に示すように、この例では、「７：０４：００（Ｎ＝３回目、およびＮ＝５回目の測定処理によって測定された測定値の測定時刻）」、「７：０６：００（Ｎ＝４回目、およびＮ＝６回目の測定処理によって測定された測定値の測定時刻）」、「７：１６：００（Ｎ＝１１回目、およびＮ＝１３回目の測定処理によって測定された測定値の測定時刻）」、「７：１８：００（Ｎ＝１２回目、およびＮ＝１４回目の測定処理によって測定された測定値の測定時刻）」、および「７：２６：００（Ｎ＝１８回目、およびＮ＝１９回目の測定処理によって測定された測定値の測定時刻）」の５つの測定時刻が２つの測定値に重複して対応付けられている。したがって、制御部２８は、同一の測定値が対応付けられている２つの測定値のうちのいずれを記録するかを問い合わせる（ステップ５９）。
【０１０９】
具体的には、一例として、測定時刻の対応付けが重複している２つの測定値のいずれを記録するかを問い合わせるメッセージを表示部２７に表示させる。また、制御部２８は、操作部２６の操作による利用者の選択に応じて、測定データＤ１０に記録すべき測定値を特定する。この後、制御部２８は、上記の一連の処理によって特定された各測定時刻を各測定値にそれぞれ対応付けて各レコードに記録した測定データＤ１０を生成し、生成した測定データＤ１０をハードディスクドライブ２１に記録して（ステップ５４）、この測定データ回収処理５０を終了する。これにより、測定データ記録装置１から取得した測定データＤ１内の各測定値が、各測定処理の実行時刻順に並んだ測定データＤ１０がハードディスクドライブ２１内に記録され、測定データ記録装置１からの測定データＤ１の回収が完了する。
【０１１０】
このように、この測定データ回収装置２、および測定データ回収装置２における測定データ回収方法では、時刻補正処理の実行前に記録された測定値を特定可能な第３の情報、および時刻補正処理の完了後に最初に記録された測定値の測定時刻を特定可能な第４の情報の少なくとも一方（この例では、第３の情報および第４の情報の少なくとも一方の数：すなわち、補正処理結果データＤ２において時刻情報が記録されているレコード数）に基づいて、記録処理の実行中に実行された時刻補正処理の実行回数を特定し、特定した実行回数がＮ回のときに、記録処理の開始時刻を特定可能な第１の情報（この例では、測定データＤ１のヘッダ情報の一部）、設定された時間間隔を特定可能な第２の情報（この例では、測定データＤ１のヘッダ情報の一部）、第３の情報および第４の情報に基づいて、Ｍ回目の時刻補正処理と、（Ｍ＋１）回目の時刻補正処理との間において測定された測定値を特定し、特定した測定値がＬ個のときに、Ｍ回目の時刻補正処理の完了後に最初に記録された測定値の測定時刻を第４の情報に基づいて特定すると共に、特定した測定時刻および第２の情報に基づいて、Ｌ個の測定値のうちのＭ回目の時刻補正処理の完了後に最初に記録された測定値に続いて記録されたＫａ個の測定値に対応付ける測定時刻を特定し、かつ、（Ｍ＋１）回目の時刻補正処理の完了後に最初に記録された測定値の測定時刻を第４の情報に基づいて特定すると共に、特定した測定時刻および第２の情報に基づいて、Ｌ個の測定値のうちの（Ｍ＋１）回目の時刻補正処理の実行前に記録された最新のＫｂ個の測定値に対応付ける測定時刻を特定して測定データＤ１０をハードディスクドライブ２１に記録する。また、この測定データ記録システム１００では、上記の測定データ回収装置２と、測定データ記録装置１とを備えている。
【０１１１】
したがって、この測定データ回収装置２、測定データ回収装置２における測定データ回収方法、および測定データ回収装置２を備えた測定データ記録システム１００によれば、内部時計１２に遅れまたは進みが生じる傾向のある測定データ記録装置１においてＭ回目の時刻補正処理とＭ＋１回目の時刻補正処理との間において複数回の測定処理が実行されたときに、測定データ記録装置１における内部時計１２の狂いが大きくなるＬ個目の測定値（Ｍ＋１回目の時刻補正処理の直前に測定された測定値）を含むＫｂ個の測定値の測定時刻を、Ｍ＋１回目の時刻補正処理によって補正された正しい時刻に基づいて特定するため、各測定値に対応付けられる測定時刻と、これらの測定値の実際の測定時刻との時間差を十分に小さくすることができる。これにより、この測定データ回収装置２、測定データ回収装置２における測定データ回収方法、および測定データ回収装置２を備えた測定データ記録システム１００によれば、測定データ記録装置１から測定データ回収装置２に回収した一連の測定値に対応付ける測定時刻と、各測定値の実際の測定時刻との時間差のばらつきを十分に小さくすることができる。
【０１１２】
また、この測定データ回収装置２、および測定データ回収装置２における測定データ回収方法では、記録処理の開始時刻を特定可能な第１の情報（この例では、測定データＤ１のヘッダ情報の一部）、設定された時間間隔を特定可能な第２の情報（この例では、測定データＤ１のヘッダ情報の一部）、および時刻補正処理の実行前に記録された測定値を特定可能な第３の情報（この例では、補正処理結果データＤ２）に基づいて、開始時刻と時刻補正処理との間において測定された測定値を特定し、特定した測定値がＬ個のときに、第１の情報および第２の情報に基づいて、Ｌ個の測定値のうちの最初に記録された測定値に続いて記録されたＫａ個の測定値に対応付ける測定時刻を特定し、かつ、時刻補正処理の完了後に最初に記録された測定値の測定時刻を、時刻補正処理の完了後に最初に記録された測定値の測定時刻を特定可能な第４の情報に基づいて特定すると共に、特定した測定時刻および第２の情報に基づいて、Ｌ個の測定値のうちの時刻補正処理の実行前に記録された最新のＫｂ個の測定値に対応付ける測定時刻を特定して測定データＤ１０をハードディスクドライブ２１に記録する。また、この測定データ記録システム１００では、上記の測定データ回収装置２と、測定データ記録装置１とを備えている。
【０１１３】
したがって、この測定データ回収装置２、測定データ回収装置２における測定データ回収方法、および測定データ回収装置２を備えた測定データ記録システム１００によれば、内部時計１２に遅れまたは進みが生じる傾向のある測定データ記録装置１において記録処理の開始時刻と１回目の時刻補正処理との間において複数回の測定処理が実行されたときに、測定データ記録装置１における内部時計１２の狂いが大きくなるＬ個目の測定値（１回目の時刻補正処理の直前に測定された測定値）を含むＫｂ個の測定値の測定時刻を、１回目の時刻補正処理によって補正された正しい時刻に基づいて特定するため、各測定値に対応付けられる測定時刻と、これらの測定値の実際の測定時刻との時間差を十分に小さくすることができる。これにより、この測定データ回収装置２、測定データ回収装置２における測定データ回収方法、および測定データ回収装置２を備えた測定データ記録システム１００によれば、測定データ記録装置１から測定データ回収装置２に回収した一連の測定値に対応付ける測定時刻と、各測定値の実際の測定時刻との時間差のばらつきを十分に小さくすることができる。
【０１１４】
また、この測定データ回収装置２、および測定データ回収装置２における測定データ回収方法では、「Ｋａ」を「（Ｌ／２）以下の自然数」とし、かつ、「Ｋｂ」を「（Ｌ／２）以下の自然数」として測定値に対応付ける測定時刻をそれぞれ特定する。また、この測定データ記録システム１００では、上記の測定データ回収装置２と、測定データ記録装置１とを備えている。したがって、この測定データ回収装置２、測定データ回収装置２における測定データ回収方法、および測定データ回収装置２を備えた測定データ記録システム１００によれば、「Ｌ」が４つを超える場合において、「Ｋａ」および「Ｋｂ」のいずれか一方を「Ｌ／２を超える数」として測定値に対応付ける測定時刻をそれぞれ特定するのと比較して、Ｌ個の測定値の実際の測定時刻との時間差のばらつきを一層小さくすることができる。
【０１１５】
また、この測定データ回収装置２、および測定データ回収装置２における測定データ回収方法では、Ｋａ個の測定値の測定とＫｂ個の測定値の測定との間において測定されたＫｃ個の測定値が存在するときに、Ｋｃ個の測定値に対応付ける測定時刻として、Ｋａ個の測定値に対応付ける測定時刻と同様にして特定した測定時刻と、Ｋｂ個の測定値に対応付ける測定時刻と同様にして特定した測定時刻とのいずれかを選択させるメッセージを出力し（この例では、表示部２７にメッセージを表示させ）、選択の結果に応じた測定時刻をＫｃ個の測定値に対応付けてハードディスクドライブ２１に記録させる。また、この測定データ記録システム１００では、上記の測定データ回収装置２と、測定データ記録装置１とを備えている。したがって、この測定データ回収装置２、測定データ回収装置２における測定データ回収方法、および測定データ回収装置２を備えた測定データ記録システム１００によれば、いずれを採用すべきかを自動判別するのが困難な「Ｋａ個の測定値の測定とＫｂ個の測定値の測定との間において測定されたＫｃ個の測定値の測定時刻」について、利用者に自由に選択させてハードディスクドライブ２１に記録することができる。
【０１１６】
さらに、この測定データ回収装置２、および測定データ回収装置２における測定データ回収方法では、測定時刻を特定したＬ個の測定値のうちのいずれか２つの測定値の測定時刻が同一時刻のときに、同一時刻の両測定値のいずれをハードディスクドライブ２１に記録させるかを選択させるメッセージを出力し（この例では、表示部２７にメッセージを表示させ）、選択された測定値をハードディスクドライブ２１に記録させる。また、この測定データ記録システム１００では、上記の測定データ回収装置２と、測定データ記録装置１とを備えている。したがって、この測定データ回収装置２、測定データ回収装置２における測定データ回収方法および測定データ回収装置２を備えた測定データ記録システム１００によれば、いずれを採用すべきかを自動判別するのが困難な「測定時刻が重複した測定値」について、利用者に自由に選択させてハードディスクドライブ２１に記録することができる。
【０１１７】
なお、測定データ記録装置１における測定データＤ１の記録処理の開始に先立って内部時計１２の時刻を補正する時刻補正処理を実行した例について説明したが、記録処理の開始前における時刻補正処理は、必須の処理ではない。この場合、記録処理の開始前に時刻補正処理を実行することなく記録処理を開始した場合（記録処理の開始時点における内部時計１２の時刻が実際の現在時刻に対して遅れや進みが生じた状態において記録処理が実行された場合）であっても、上記の測定データ回収装置２によって測定データＤ１を回収してハードディスクドライブ２１に測定データＤ１０を記録する際に測定時刻特定処理６０を実行することで、測定データＤ１の記録処理の開始時点における測定データ記録装置１の内部時計１２の狂いが大きい状態であったとしても、記録処理の開始時点と、第１回目の時刻補正処理との間において測定されたＬ個の測定値のうちのＫｂ個については、第１回目の時刻補正処理の後に最初に記録された測定値の測定時刻、すなわち、第１回目の時刻補正処理によって狂いが補正された正確な時刻に基づいて測定時刻が特定されるため、各測定値に対応付けられる測定時刻の実際の測定時刻との差異を十分に小さくすることができる。
【０１１８】
また、測定データ回収装置２から測定データ記録装置１に時刻補正データＤｔ０を送信して測定データ記録装置１の内部時計１２を補正する例について説明したが、測定データ記録装置１の内部時計１２を補正するための時刻補正データＤｔ０については、測定データ回収装置２から送信したものに限定されず、例えば、公的機関が発信している標準電波に基づいて取得した時刻情報、および携帯電話通信網等の各種無線通信網の親局から発信される時刻情報などに基づいて内部時計１２の時刻を補正可能に測定データ記録装置１を構成することにより、測定データ回収装置２から時刻補正データＤｔ０を送信することなく、測定データ記録装置１の内部時計１２を補正することができる。
【０１１９】
また、測定データ記録装置１によって記録された測定データＤ１を測定データ記録装置１から測定データ回収装置２に回収する際に、測定データ回収装置２の制御部２８が、測定データＤ１と共に測定データ記録装置１から出力された補正処理結果データＤ２に基づいて測定データ１０の各測定値、およびその測定時刻を特定する構成および測定データ回収方法を例に挙げて説明したが、「測定データ記録装置」、「測定データ回収装置」および「測定データ記録システム」の構成や、「測定データ回収方法」はこれに限定されない。具体的には、一例として、測定データ回収装置２によって測定データ記録装置１から測定データＤ１等を回収する際に、測定データ記録装置１の制御部１８が、各測定データＤ１に対応付けるべき測定時刻を特定し、特定した測定時刻を各測定データＤ１に対応付けて測定データ回収装置２に出力する構成および方法を採用することができる。
【０１２０】
より具体的には、前述した測定データ回収装置２の制御部２８が測定データ回収処理５０において実行した各処理（ステップ５１〜５９）を、測定データ記録装置１の制御部１８が実行して、測定データ回収処理５０におけるステップ５４の処理に代えて、測定データ回収装置２に出力すべき（回収させるべき）測定データＤ１と、その測定データＤ１に対応付けるべき測定時刻を特定可能な測定時刻データＤ３（図１参照）とを通信部１４から測定データ回収装置２に出力する構成および方法を採用することができる。なお、この構成および方法における「各測定時刻の具体的な特定方法」については、前述した測定データ回収装置２における制御部２８が実行した一連の処理と同様のため、詳細な説明を省略する。
【０１２１】
このように、測定データ回収装置２によって測定データ記録装置１から測定データＤ１等を回収する際に、測定データ回収装置２に回収させる各測定データＤ１に対応付けるべき測定時刻を測定データ記録装置１において特定し、特定した測定時刻に対応付けて各測定データＤ１を測定データ回収装置２に回収させる構成および測定データ回収方法によれば、前述した測定データ回収装置２、測定データ回収装置２による測定データ回収方法、および測定データ回収装置２を備えた測定データ記録システム１００と同様の効果を奏することができる。
【０１２２】
さらに、Ｌ＝８個の測定値が存在するときに、Ｋａ＝８／２＝４個（Ｌの半分の数）とし、かつ、Ｋｂ＝８／２＝４個（Ｌの半分の数）とすると共に、Ｌ＝５個の測定値が存在するときに、Ｋａ＝（５−１）／２＝２個（Ｌの半分の数以下で、Ｌの半分の数に最も近い自然数）とし、Ｋｂ＝（５−１）／２＝２個（Ｌの半分の数以下で、Ｌの半分の数に最も近い自然数）とし、かつ、Ｋｃ＝１個とした例を挙げて説明したが、「Ｋａ＋Ｋｂ＋Ｋｃ＝Ｌ」との条件を満たす限り、Ｌ個と、Ｋａ個、Ｋｂ個およびＫｃ個の関係は、上記の例示に限定されるものではない。
【０１２３】
具体的には、一例として、Ｌ＝８個の測定値が存在するときには、Ｋａ＝３個（「（Ｌ−１）以下の自然数）」の他の一例であって「Ｌの半分の数以下で、Ｌの半分の数よりも小さい自然数」の例）とし、Ｋｂ＝３個（「（Ｌ−Ｋａ）以下の自然数」の他の一例であって「Ｌの半分の数以下で、Ｌの半分の数よりも小さい自然数」の例）とし、かつ、Ｋｃ＝２個とすることができる。また、Ｌ＝９個の測定値が存在するときには、Ｋａ＝２個（「（Ｌ−１）以下の自然数）」のさらに他の一例であって「Ｌの半分の数以下で、Ｌの半分の数よりも小さい自然数」の例）とし、Ｋｂ＝２個（「（Ｌ−Ｋａ）以下の自然数」の他の一例であって「Ｌの半分の数以下で、Ｌの半分の数よりも小さい自然数」の例）とし、かつ、Ｋｃ＝５個とすることができる。この場合、Ｋａ個およびＫｂ個については、互いに等しい数に限定されず、互いに相違する数とすることもできる。このように「Ｋａ」、「Ｋｂ」および「Ｋｃ」を規定した場合においても、「測定データ記録装置」から「測定データ回収装置」に回収した一連の測定値に対応付ける測定時刻と、各測定値の実際の測定時刻との時間差のばらつきを十分に小さくすることができる。
【０１２４】
また、測定データ記録装置１の通信部１４から送信した測定データＤ１等を測定データ回収装置２の通信部２４によって受信して処理する例について説明したが、メモリカードＭを介して測定データＤ１等を測定データ記録装置１から測定データ回収装置２にコピーまたは移動させて処理する構成を採用することもできる。また、測定データ記録装置と測定データ回収装置とを通信ケーブル（図示せず）を介して相互に接続した状態において測定データ記録装置から測定データ回収装置に測定データＤ１等を転送させて回収する構成や、測定データ記録装置と測定データ回収装置とを公衆回線網等の各種ネットワークを介して相互に接続した状態において測定データ記録装置から測定データ回収装置に測定データＤ１等を転送させて回収する構成を採用することもできる。
【０１２５】
さらに、時刻補正処理の開始以前に実行した測定処理の測定データを特定可能な情報（第３の情報）として、時刻補正処理によって補正される直前の内部時計１２の時刻を補正処理結果データＤ２に記録する構成および方法を例に挙げて説明したが、時刻補正処理を実行する直前に実行した測定処理の測定値を記録したレコード番号、および時刻補正処理を実行した直後に実行した測定処理の測定値を記録したレコード番号のいずれかを第３の情報として記録する構成および方法を採用することもできる。このような構成および方法を採用した場合においても、第３の情報として記録したレコード番号に基づいて、時刻補正処理の開始以前に実行させた測定処理の測定データを確実かつ容易に特定することができる。
【０１２６】
また、時刻補正処理の完了後に最初に実行する測定処理の測定値の測定時刻そのものを第４の情報として記録する構成および方法を例に挙げて説明したが、これに代えて、時刻補正処理による補正が完了した時点の内部時計１２の時刻（補正後の時刻）を記録する構成および方法を採用することもできる。このような構成および方法を採用した場合においても、第４の情報として記録した時刻に基づいて時刻補正処理の完了後に最初に実行した測定処理の測定値の測定時刻を確実かつ容易に特定することができる。加えて、「電気的パラメータ」としての温度を測定して回収する例について説明したが、「電気的パラメータ」は、これに限定されず、電圧、電流、電力、気圧、水圧および照度などの各種パラメータがこれに含まれる。
【符号の説明】
【０１２７】
１  測定データ記録装置
２  測定データ回収装置
１１  測定部
１２  内部時計
１４  通信部
１８  制御部
２１  ハードディスクドライブ
２４  通信部
２６  操作部
２７  表示部
２８  制御部
５０  測定データ回収処理
６０，７０  測定時刻特定処理
１００  測定データ記録システム
Ｄ１，Ｄ１０  測定データ
Ｄ２  補正処理結果データ
Ｄ３  測定時刻データ
Ｄｓ０  記録条件データ
Ｄｔ０  時刻補正情報
Ｄｔ１  時刻データ
Ｄｔ２  時刻データ
Ｓ  送信要求信号
【図１】
2012013477.tif 000003
【図２】
2012013477.tif 000004
【図３】
2012013477.tif 000005
【図４】
2012013477.tif 000006
【図５】
2012013477.tif 000007
【図６】
2012013477.tif 000008
【図７】
2012013477.tif 000009
【図８】
2012013477.tif 000010
【図９】
2012013477.tif 000011